(57)【要約】  端末がセルエッジに移動するときのサービス品質を改善するために、データ伝送最適化方法、端末、およびネットワーク装置が提供される。端末は、トラックコンテキストに含まれるトラックルートに沿って移動し、トラックルート上の最適化対象のルートセグメントに到達すると判断し、トラックコンテキストは端末によって事前に生成され、端末がそれに沿って移動しかつ履歴時間内に端末が通過するトラックルートと、トラックルート上の最適化対象のルートセグメントを含み、事前定義された測定パラメータの値は、端末が最適化対象のルートセグメントで移動するときにプリセット閾値範囲を満たし、測定パラメータは、信号品質、アップリンクスループットレート、およびダウンリンクスループットレートの少なくとも1つを含む。端末は、データ伝送最適化命令をネットワーク装置に送信し、データ伝送最適化命令は、ネットワーク装置にデータ伝送最適化処理動作を実行するよう指示するために使用され、データ伝送最適化処理動作は、端末のリソース割り当てポリシーを調整することを含む。
2020510347.tif 000002
【特許請求の範囲】
【請求項１】
端末によって、トラックコンテキストに含まれるトラックルートに沿って移動し、前記トラックルート上の最適化対象のルートセグメントに到達すると判断するステップであって、前記トラックコンテキストは、前記端末によって事前に生成され、前記端末がそれに沿って移動しかつ履歴時間内に前記端末が通過するトラックルートと、前記トラックルート上の最適化対象のルートセグメントとを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、ステップと、
前記端末によって、データ伝送最適化命令をネットワーク装置に送信するステップであって、前記データ伝送最適化命令は、前記ネットワーク装置にデータ伝送最適化処理動作を実行するよう指示するために使用され、前記データ伝送最適化処理動作は、前記端末のリソース割り当てポリシーを調整することを含む、ステップと
を含む、データ伝送最適化方法。
【請求項２】
前記端末によって、データ伝送最適化命令をネットワーク装置に送信する前記ステップの前に、前記方法が、
前記端末によって、前記ネットワーク装置が送信したデータ伝送最適化命令パラメータを受信するステップであって、前記データ伝送最適化命令パラメータは、報告指示パラメータまたは構成パラメータの少なくとも一方を含む、ステップ
をさらに含み、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項1に記載の方法。
【請求項３】
前記トラックコンテキストは、前記端末がハンドオーバされるターゲットセルの識別情報をさらに含み、前記方法は、
前記端末が前記最適化対象のルートセグメントでセルハンドオーバを実行する場合、前記ターゲットセルの前記識別情報に基づいて前記セルハンドオーバを実行するステップ
をさらに含む、請求項1または2に記載の方法。
【請求項４】
前記データ伝送最適化命令は、前記端末がビデオサービスを実行することを示すビデオサービス指示を含み、
前記データ伝送最適化処理動作は、前記端末のリソース割り当てを増やすこと、およびリソース制限のために前記端末の前記リソース割り当てを増やすことができない場合、前記ビデオサービスのビットレートを下げるように指示するために使用される指示情報を前記端末に送信することを含む、
請求項1から3のいずれか一項に記載の方法。
【請求項５】
前記データ伝送最適化命令がビデオサービスコンテキスト情報をさらに含み、前記ビデオサービスコンテキスト情報は前記ビデオサービスのキャッシュ情報とビットレート情報を含み、
前記データ伝送最適化命令は、前記端末の前記リソース割り当てを増やす前に前記キャッシュ情報と前記ビットレート情報に基づいて、プリセット期間内に既存のリソースを使用して前記端末によって伝送されるデータの量が前記ビデオサービスの伝送に必要なデータ量よりも少ないと判断するように前記ネットワーク装置に指示するためにさらに使用される、
請求項4に記載の方法。
【請求項６】
前記データ伝送最適化命令が、ハンドオーバ指示情報をさらに含み、前記ハンドオーバ指示情報は、前記端末がハンドオーバされる前記ターゲットセルの前記識別情報を含み、
前記データ伝送最適化命令は、前記データ最適化処理動作を実行する前に、前記識別情報に対応する前記ターゲットセルの負荷情報を取得し、前記ターゲットセルの負荷がプリセット閾値よりも大きいと判断するように前記ネットワーク装置に指示するためにさらに使用される、
請求項4または5に記載の方法。
【請求項７】
前記データ伝送最適化命令が、前記端末が現在位置しているサービングセルが属するネットワーク装置に、前記ターゲットセルが属するネットワーク装置にハンドオーバ要求を送信するように指示し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し；前記ターゲットセルが属する前記ネットワーク装置が前記端末によるアクセスが許可されていると判断したと判断した場合、および前記端末のハンドオーバ測定レポートが受信されたと判断した場合、前記サービングセルが属する前記ネットワーク装置に、ハンドオーバコマンドを前記端末に送信するよう指示するためにさらに使用され、
前記データ伝送最適化の準備は、事前にアクセス制御を実行することを含む、
請求項6に記載の方法。
【請求項８】
前記データ伝送最適化処理動作が、前記端末のカバレッジ強化最適化機能を有効にすることを含み、前記カバレッジ強化最適化機能は、協調マルチポイント伝送技術または伝送時間間隔バンドリング技術の少なくとも一方を含む、請求項1から3のいずれか一項に記載の方法。
【請求項９】
前記データ伝送最適化命令が、最適化が実行される時間間隔をさらに含み、最適化が実行される前記時間間隔で前記データ伝送最適化処理動作を実行するように前記ネットワーク装置に指示するために使用される、請求項4から8のいずれか一項に記載の方法。
【請求項１０】
データ伝送最適化方法が、
ネットワーク装置によって、端末が送信したデータ伝送最適化命令を受信するステップであって、前記データ伝送最適化命令は、トラックコンテキストに含まれるトラックルートに沿って移動し、前記トラックルート上の最適化対象のルートセグメントに到達すると判断すると前記端末によって送信され、前記ネットワーク装置にデータ伝送最適化処理動作を実行するよう指示するために使用され、前記データ伝送最適化処理動作は、前記端末のリソース割り当てポリシーを調整することを含み、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、ステップと、
前記ネットワーク装置によって、前記データ伝送最適化命令に基づいて前記データ伝送最適化処理動作を実行するステップと
を含む、方法。
【請求項１１】
ネットワーク装置によって、端末が送信したデータ伝送最適化命令を受信する前記ステップの前に、前記方法が、
前記ネットワーク装置によって、データ伝送最適化命令パラメータを前記端末に送信することであって、前記データ伝送最適化命令パラメータは、報告指示パラメータまたは構成パラメータの少なくとも一方を含む、ステップ
をさらに含み、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項10に記載の方法。
【請求項１２】
前記端末が前記最適化対象のルートセグメントでセルハンドオーバを実行する場合、前記トラックコンテキストは、前記端末がハンドオーバされるターゲットセルの識別情報をさらに含む、請求項10または11に記載の方法。
【請求項１３】
前記データ伝送最適化命令は、前記端末がビデオサービスを実行することを示すビデオサービス指示を含み、
前記ネットワーク装置によって、前記データ伝送最適化命令に基づいて前記データ伝送最適化処理動作を実行する前記ステップが、
前記ネットワーク装置によって、前記端末のリソース割り当てを増やすステップ、およびリソース制限のために前記端末の前記リソース割り当てを増やすことができない場合、前記ネットワーク装置によって、前記ビデオサービスのビットレートを下げるように指示するために使用される指示情報を前記端末に送信するステップ
を含む、請求項10から12のいずれか一項に記載の方法。
【請求項１４】
前記データ伝送最適化命令は、ビデオサービスコンテキスト情報をさらに含み、前記ビデオサービスコンテキスト情報は、前記ビデオサービスのキャッシュ情報およびビットレート情報を含み、
前記ネットワーク装置によって、前記端末のリソース割り当てを増やす前記ステップの前に、前記方法は、
前記キャッシュ情報および前記ビットレート情報に基づいて前記ネットワーク装置によって、プリセット期間内に既存のリソースを使用して前記端末によって伝送されるデータの量が、前記ビデオサービスの伝送に必要なデータ量よりも少ないと判断するステップ
をさらに含む、請求項13に記載の方法。
【請求項１５】
前記データ伝送最適化命令が、ハンドオーバ指示情報をさらに含み、前記ハンドオーバ指示情報は、前記端末がハンドオーバされる前記ターゲットセルの前記識別情報を含み、
前記ネットワーク装置によって、前記データ伝送最適化命令に基づいて前記データ伝送最適化処理動作を実行する前記ステップの前に、前記方法は、
前記ネットワーク装置によって、前記識別情報に対応する前記ターゲットセルの負荷情報を取得し、前記ターゲットセルの負荷がプリセット閾値よりも大きいと判断するステップ
をさらに含む、請求項13または14に記載の方法。
【請求項１６】
前記ネットワーク装置によって、前記データ伝送最適化命令に基づいて前記データ伝送最適化処理動作を実行する前記ステップが、
前記ネットワーク装置によって、前記ターゲットセルが属するネットワーク装置にハンドオーバ要求を送信し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求するステップと、
前記ターゲットセルが属する前記ネットワーク装置が前記端末によるアクセスが許可されていると判断したと判断した場合、および前記端末のハンドオーバ測定レポートを受信したと判断した場合、前記ネットワーク装置によって、前記端末にハンドオーバコマンドを送信するステップと、
を含み、
前記データ伝送最適化の準備は、事前にアクセス制御を実行することを含む、
請求項15に記載の方法。
【請求項１７】
前記データ伝送最適化処理動作が、前記端末のカバレッジ強化最適化機能を有効にすることをさらに含み、前記カバレッジ強化最適化機能は、協調マルチポイント伝送技術または伝送時間間隔バンドリング技術の少なくとも一方を含む、請求項10から12のいずれか一項に記載の方法。
【請求項１８】
前記データ伝送最適化命令は、最適化が実行される時間間隔をさらに含み、
前記ネットワーク装置によって、前記データ伝送最適化命令に基づいて前記データ伝送最適化処理動作を実行する前記ステップが、
前記ネットワーク装置によって、最適化が実行される前記時間間隔で前記データ伝送最適化処理動作を実行するステップ
を含む、
請求項13から17のいずれか一項に記載の方法。
【請求項１９】
端末がトラックコンテキストに含まれるトラックルートに沿って移動し、前記トラックルート上の最適化対象のルートセグメントに到達することを判断するように構成された処理ユニットであって、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、処理ユニットと、
前記処理ユニットが、前記端末が前記トラックコンテキストに含まれる前記トラックルートに沿って移動し、前記トラックルート上の前記最適化対象のルートセグメントに到達すると判断すると、前記データ伝送最適化命令をネットワーク装置に送信するように構成された送信ユニットであって、前記データ伝送最適化命令は、前記ネットワーク装置にデータ伝送最適化処理動作を実行するよう指示するために使用され、前記データ伝送最適化処理動作は、前記端末のリソース割り当てポリシーを調整することを含む、送信ユニットと
を備える、端末。
【請求項２０】
前記端末が受信ユニットをさらに備え、前記受信ユニットは、
前記送信ユニットが前記データ伝送最適化命令を前記ネットワーク装置に送信する前に、前記ネットワーク装置が送信したデータ伝送最適化命令パラメータを受信し、前記データ伝送最適化命令パラメータは、報告指示パラメータまたは構成パラメータの少なくとも一方を含む、
ように構成され、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項19に記載の端末。
【請求項２１】
前記トラックコンテキストは、前記端末がハンドオーバされるターゲットセルの識別情報をさらに含み、前記処理ユニットは、
前記端末が前記最適化対象のルートセグメントでセルハンドオーバを実行する場合、前記ターゲットセルの前記識別情報に基づいて前記セルハンドオーバを実行する
ようにさらに構成される、請求項19または20に記載の端末。
【請求項２２】
前記データ伝送最適化命令は、前記端末がビデオサービスを実行することを示すビデオサービス指示を含み、
前記データ伝送最適化処理動作は、前記端末のリソース割り当てを増やすこと、およびリソース制限のために前記端末の前記リソース割り当てを増やすことができない場合、前記ビデオサービスのビットレートを下げるように指示するために使用される指示情報を前記端末に送信することを含む、
請求項19から21のいずれか一項に記載の端末。
【請求項２３】
前記データ伝送最適化命令がビデオサービスコンテキスト情報をさらに含み、前記ビデオサービスコンテキスト情報は前記ビデオサービスのキャッシュデータ量とビットレート情報を含み、
前記データ伝送最適化命令は、前記端末の前記リソース割り当てを増やす前に前記キャッシュ情報と前記ビットレート情報に基づいて、プリセット期間内に既存のリソースを使用して前記端末によって伝送されるデータの量が前記ビデオサービスの伝送に必要なデータ量よりも少ないと判断するように前記ネットワーク装置に指示するためにさらに使用される、
請求項22に記載の端末。
【請求項２４】
前記データ伝送最適化命令が、ハンドオーバ指示情報をさらに含み、前記ハンドオーバ指示情報は、前記端末がハンドオーバされる前記ターゲットセルの前記識別情報を含み、
前記データ伝送最適化命令は、前記データ最適化処理動作を実行する前に、前記識別情報に対応する前記ターゲットセルの負荷情報を取得し、前記ターゲットセルの負荷がプリセット閾値よりも大きいと判断するように前記ネットワーク装置に指示するためにさらに使用される、
請求項22または23に記載の端末。
【請求項２５】
前記データ伝送最適化命令が、前記端末が現在位置しているサービングセルが属するネットワーク装置に、前記ターゲットセルが属するネットワーク装置にハンドオーバ要求を送信するように指示し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し；前記ターゲットセルが属する前記ネットワーク装置が前記端末によるアクセスが許可されていると判断したと判断した場合、および前記端末のハンドオーバ測定レポートが受信されたと判断した場合、前記サービングセルが属する前記ネットワーク装置に、ハンドオーバコマンドを前記端末に送信するよう指示するためにさらに使用され、
前記データ伝送最適化の準備は、事前にアクセス制御を実行することを含む、
請求項24に記載の端末。
【請求項２６】
前記データ伝送最適化処理動作が、前記端末のカバレッジ強化最適化機能を有効にすることを含み、前記カバレッジ強化最適化機能は、協調マルチポイント伝送技術または伝送時間間隔バンドリング技術の少なくとも一方を含む、請求項19から21のいずれか一項に記載の端末。
【請求項２７】
前記データ伝送最適化命令が、最適化が実行される時間間隔をさらに含み、最適化が実行される前記時間間隔で前記データ伝送最適化処理動作を実行するように前記ネットワーク装置に指示するために使用される、請求項22から26のいずれか一項に記載の端末。
【請求項２８】
端末が送信したデータ伝送最適化命令を受信するように構成された受信ユニットであって、前記データ伝送最適化命令は、トラックコンテキストに含まれるトラックルートに沿って移動し、前記トラックルート上の最適化対象のルートセグメントに到達すると判断すると前記端末によって送信され、前記ネットワーク装置にデータ伝送最適化処理動作を実行するよう指示するために使用され、前記データ伝送最適化処理動作は、前記端末のリソース割り当てポリシーを調整することを含み、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、受信ユニットと、
前記受信ユニットが受信した前記データ伝送最適化命令に基づいて前記データ伝送最適化処理動作を実行するように構成された処理ユニットと
を備える、ネットワーク装置。
【請求項２９】
前記ネットワーク装置が送信ユニットをさらに備え、前記送信ユニットは、
前記端末が送信した前記データ伝送最適化命令を前記受信ユニットが受信する前に、前記端末にデータ伝送最適化命令パラメータを送信し、前記データ伝送最適化命令パラメータは、報告指示パラメータまたは構成パラメータの少なくとも一方を含む、
ように構成され、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項28に記載のネットワーク装置。
【請求項３０】
前記端末が前記最適化対象のルートセグメントでセルハンドオーバを実行する場合、前記トラックコンテキストは、前記端末がハンドオーバされるターゲットセルの識別情報をさらに含む、請求項28または29に記載のネットワーク装置。
【請求項３１】
前記データ伝送最適化命令は、前記端末がビデオサービスを実行することを示すビデオサービス指示を含み、
前記処理ユニットは、前記データ伝送最適化命令に基づいて、以下の方法、すなわち、
前記端末のリソース割り当てを増やし、リソース制限のために前記端末の前記リソース割り当てを増やすことができない場合、前記ネットワーク装置によって、前記ビデオサービスのビットレートを下げるように指示するために使用される指示情報を前記端末に送信する
方法で、前記データ伝送最適化処理動作を実行する、
請求項28から30のいずれか一項に記載のネットワーク装置。
【請求項３２】
前記データ伝送最適化命令がビデオサービスコンテキスト情報をさらに含み、前記ビデオサービスコンテキスト情報は前記ビデオサービスのキャッシュ情報とビットレート情報を含み、
前記処理ユニットは、
前記端末の前記リソース割り当てを増やす前に、前記キャッシュ情報および前記ビットレート情報に基づいて、プリセット期間内に既存のリソースを使用して前記端末によって伝送されるデータの量が前記ビデオサービスの伝送に必要なデータ量よりも少ないと判断する
ようにさらに構成される、
請求項31に記載のネットワーク装置。
【請求項３３】
前記データ伝送最適化命令がハンドオーバ指示情報をさらに含み、前記ハンドオーバ指示情報は、前記端末がハンドオーバされる前記ターゲットセルの前記識別情報を含み、
前記処理ユニットは、
前記データ伝送最適化命令に基づいて前記データ伝送最適化処理動作を実行する前に、前記識別情報に対応する前記ターゲットセルの負荷情報を取得し、前記ターゲットセルの負荷がプリセット閾値よりも大きいと判断する
ようにさらに構成される、
請求項31または32に記載のネットワーク装置。
【請求項３４】
前記ネットワーク装置が送信ユニットをさらに備え、
前記処理ユニットは、前記データ伝送最適化命令に基づいて、以下の方法、すなわち、
前記送信ユニットを使用して、前記ターゲットセルが属するネットワーク装置にハンドオーバ要求を送信し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し、
前記ターゲットセルが属する前記ネットワーク装置が前記端末によるアクセスが許可されていると判断したと判断した場合、および前記受信ユニットが前記端末のハンドオーバ測定レポートを受信したと判断した場合、前記送信ユニットを使用して、前記端末にハンドオーバコマンドを送信する
方法で、前記データ伝送最適化処理動作を実行し、
前記データ伝送最適化の準備は、事前にアクセス制御を実行することを含む、
請求項33に記載のネットワーク装置。
【請求項３５】
前記データ伝送最適化処理動作が、前記端末のカバレッジ強化最適化機能を有効にすることをさらに含み、前記カバレッジ強化最適化機能は、協調マルチポイント伝送技術または伝送時間間隔バンドリング技術の少なくとも一方を含む、請求項28から30のいずれか一項に記載のネットワーク装置。
【請求項３６】
前記データ伝送最適化命令は、最適化が実行される時間間隔をさらに含み、
前記処理ユニットは、前記データ伝送最適化命令に基づいて、以下の方法、すなわち、
最適化が実行される前記時間間隔で前記データ伝送最適化処理動作を実行する
方法で、前記データ伝送最適化処理動作を実行する、
請求項31から35のいずれか一項に記載のネットワーク装置。
【請求項３７】
プロセッサ、メモリ、および送信機を備えた端末であって、前記メモリは命令を格納するように構成され、前記プロセッサは、前記メモリに格納された前記命令を呼び出して、前記プロセッサの以下の機能を実行し、前記送信機を制御して以下の機能を実行するように構成される、すなわち、
前記プロセッサは、前記端末がトラックコンテキストに含まれるトラックルートに沿って移動し、前記トラックルート上の最適化対象のルートセグメントに到達することを判断するように構成され、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、
前記送信機は、前記端末が前記トラックコンテキストに含まれる前記トラックルートに沿って移動し、前記トラックルート上の前記最適化対象のルートセグメントに到達することを前記プロセッサが判断すると、ネットワーク装置にデータ伝送最適化命令を送信するように構成され、前記データ伝送最適化命令は、前記ネットワーク装置にデータ伝送最適化処理動作を実行するよう指示するために使用され、前記データ伝送最適化処理動作は、前記端末のリソース割り当てポリシーを調整することを含む、
端末。
【請求項３８】
前記端末が受信機をさらに備え、前記プロセッサが前記受信機を制御して、以下の機能、すなわち、
前記送信機が前記データ伝送最適化命令を前記ネットワーク装置に送信する前に、前記ネットワーク装置が送信したデータ伝送最適化命令パラメータを受信する機能であって、前記データ伝送最適化命令パラメータは、報告指示パラメータまたは構成パラメータの少なくとも一方を含む、機能
を実行するようにさらに構成され、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項37に記載の端末。
【請求項３９】
前記トラックコンテキストは、前記端末がハンドオーバされるターゲットセルの識別情報をさらに含み、前記プロセッサは、
前記端末が前記最適化対象のルートセグメントでセルハンドオーバを実行する場合、前記ターゲットセルの前記識別情報に基づいて前記セルハンドオーバを実行する
ようにさらに構成される、請求項37または38に記載の端末。
【請求項４０】
前記データ伝送最適化命令は、前記端末がビデオサービスを実行することを示すビデオサービス指示を含み、
前記データ伝送最適化処理動作は、前記端末のリソース割り当てを増やすこと、およびリソース制限のために前記端末の前記リソース割り当てを増やすことができない場合、前記ビデオサービスのビットレートを下げるように指示するために使用される指示情報を前記端末に送信することを含む、
請求項37から39のいずれか一項に記載の端末。
【請求項４１】
前記データ伝送最適化命令がビデオサービスコンテキスト情報をさらに含み、前記ビデオサービスコンテキスト情報は前記ビデオサービスのキャッシュデータ量とビットレート情報を含み、
前記データ伝送最適化命令は、前記端末の前記リソース割り当てを増やす前に前記キャッシュ情報と前記ビットレート情報に基づいて、プリセット期間内に既存のリソースを使用して前記端末によって伝送されるデータの量が前記ビデオサービスの伝送に必要なデータ量よりも少ないと判断するように前記ネットワーク装置に指示するためにさらに使用される、
請求項40に記載の端末。
【請求項４２】
前記データ伝送最適化命令が、ハンドオーバ指示情報をさらに含み、前記ハンドオーバ指示情報は、前記端末がハンドオーバされる前記ターゲットセルの前記識別情報を含み、
前記データ伝送最適化命令は、前記データ最適化処理動作を実行する前に、前記識別情報に対応する前記ターゲットセルの負荷情報を取得し、前記ターゲットセルの負荷がプリセット閾値よりも大きいと判断するように前記ネットワーク装置に指示するためにさらに使用される、
請求項40または41に記載の端末。
【請求項４３】
前記データ伝送最適化命令が、前記端末が現在位置しているサービングセルが属するネットワーク装置に、前記ターゲットセルが属するネットワーク装置にハンドオーバ要求を送信するように指示し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し；前記ターゲットセルが属する前記ネットワーク装置が前記端末によるアクセスが許可されていると判断したと判断した場合、および前記端末のハンドオーバ測定レポートが受信されたと判断した場合、前記サービングセルが属する前記ネットワーク装置に、ハンドオーバコマンドを前記端末に送信するよう指示するためにさらに使用され、
前記データ伝送最適化の準備は、事前にアクセス制御を実行することを含む、
請求項42に記載の端末。
【請求項４４】
前記データ伝送最適化処理動作が、前記端末のカバレッジ強化最適化機能を有効にすることを含み、前記カバレッジ強化最適化機能は、協調マルチポイント伝送技術または伝送時間間隔バンドリング技術の少なくとも一方を含む、請求項37から39のいずれか一項に記載の端末。
【請求項４５】
前記データ伝送最適化命令が、最適化が実行される時間間隔をさらに含み、最適化が実行される前記時間間隔で前記データ伝送最適化処理動作を実行するように前記ネットワーク装置に指示するために使用される、請求項40から44のいずれか一項に記載の端末。
【請求項４６】
トランシーバ、メモリ、およびプロセッサを備えたネットワーク装置であって、前記メモリは、命令を格納するように構成され、前記プロセッサは、前記プロセッサの以下の機能を実行するために前記メモリに格納された前記命令を呼び出して、以下の機能を実行するために前記トランシーバを制御するように構成される、すなわち、
前記トランシーバは、端末によって送信されたデータ伝送最適化命令を受信するように構成され、前記データ伝送最適化命令は、トラックコンテキストに含まれるトラックルートに沿って移動し、前記トラックルート上の最適化対象のルートセグメントに到達すると判断すると前記端末によって送信され、前記ネットワーク装置にデータ伝送最適化処理動作を実行するよう指示するために使用され、前記データ伝送最適化処理動作は、前記端末のリソース割り当てポリシーを調整することを含み、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含み、
前記プロセッサは、前記トランシーバによって受信された前記データ伝送最適化命令に基づいて前記データ伝送最適化処理動作を実行するように構成される、
ネットワーク装置。
【請求項４７】
前記トランシーバが、以下の機能、すなわち、
前記端末が送信した前記データ伝送最適化命令を受信する前に、データ伝送最適化命令パラメータを前記端末に送信する機能であって、前記データ伝送最適化命令パラメータは、報告指示パラメータまたは構成パラメータの少なくとも一方を含む、機能
を実行し、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項46に記載のネットワーク装置。
【請求項４８】
前記端末が前記最適化対象のルートセグメントでセルハンドオーバを実行する場合、前記トラックコンテキストは、前記端末がハンドオーバされるターゲットセルの識別情報をさらに含む、請求項46または47に記載のネットワーク装置。
【請求項４９】
前記データ伝送最適化命令は、前記端末がビデオサービスを実行することを示すビデオサービス指示を含み、
前記プロセッサは、前記データ伝送最適化命令に基づいて、以下の方法、すなわち、
前記端末のリソース割り当てを増やし、リソース制限のために前記端末の前記リソース割り当てを増やすことができない場合、前記ネットワーク装置によって、前記ビデオサービスのビットレートを下げるように指示するために使用される指示情報を前記端末に送信する
方法で、前記データ伝送最適化処理動作を実行する、
請求項46から48のいずれか一項に記載のネットワーク装置。
【請求項５０】
前記データ伝送最適化命令がビデオサービスコンテキスト情報をさらに含み、前記ビデオサービスコンテキスト情報は前記ビデオサービスのキャッシュ情報とビットレート情報を含み、
前記プロセッサは、
前記端末の前記リソース割り当てを増やす前に、前記キャッシュ情報および前記ビットレート情報に基づいて、プリセット期間内に既存のリソースを使用して前記端末によって伝送されるデータの量が前記ビデオサービスの伝送に必要なデータ量よりも少ないと判断する
ようにさらに構成される、
請求項49に記載のネットワーク装置。
【請求項５１】
前記データ伝送最適化命令がハンドオーバ指示情報をさらに含み、前記ハンドオーバ指示情報は、前記端末がハンドオーバされる前記ターゲットセルの前記識別情報を含み、
前記プロセッサは、
前記データ伝送最適化命令に基づいて前記データ伝送最適化処理動作を実行する前に、前記識別情報に対応する前記ターゲットセルの負荷情報を取得し、前記ターゲットセルの負荷がプリセット閾値よりも大きいと判断する
ようにさらに構成される、
請求項49または50に記載のネットワーク装置。
【請求項５２】
前記プロセッサが、前記データ伝送最適化命令に基づいて、以下の方法、すなわち、
前記トランシーバを使用して、前記ターゲットセルが属するネットワーク装置にハンドオーバ要求を送信し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し、
前記ターゲットセルが属する前記ネットワーク装置が前記端末によるアクセスが許可されていると判断したと判断した場合、および前記トランシーバが前記端末のハンドオーバ測定レポートを受信したと判断した場合、前記トランシーバを使用して、前記端末にハンドオーバコマンドを送信する
方法で、前記データ伝送最適化処理動作を実行し、
前記データ伝送最適化の準備は、事前にアクセス制御を実行することを含む、
請求項51に記載のネットワーク装置。
【請求項５３】
前記データ伝送最適化処理動作が、前記端末のカバレッジ強化最適化機能を有効にすることをさらに含み、前記カバレッジ強化最適化機能は、協調マルチポイント伝送技術または伝送時間間隔バンドリング技術の少なくとも一方を含む、請求項46から48のいずれか一項に記載のネットワーク装置。
【請求項５４】
前記データ伝送最適化命令は、最適化が実行される時間間隔をさらに含み、
前記プロセッサは、前記データ伝送最適化命令に基づいて、以下の方法、すなわち、
最適化が実行される前記時間間隔で前記データ伝送最適化処理動作を実行する
方法で、前記データ伝送最適化処理動作を実行する、
請求項49から53のいずれか一項に記載のネットワーク装置。
【発明の詳細な説明】
【技術分野】
【０００１】
本出願は、通信技術の分野に関し、特に、データ伝送最適化方法、端末、およびネットワーク装置に関する。
【背景技術】
【０００２】
セルエッジのパフォーマンスの問題は、すべてのモバイルネットワークにとって大きな課題である。例えば、セルエッジでのスループットレートは、同一チャネル干渉のためにセルの中央エリアのスループットレートと数倍異なる。協調マルチポイント（Coordinative Multiple Point，CoMP）伝送技術や伝送時間間隔バンドリング（TTI Bunding）技術などの複数の技術は、エッジユーザのスループットレートの向上に専念しているが、セルエッジでのスループットレートは中央エリアのスループットレートとは大きく異なる。したがって、端末が複数のセル間を移動する場合、例えば、1つのセルのセル中心からセルエッジに移動し、次に別のセルのセルエッジに移動し、続いて別のセルのセル中心に入る場合、サービスレートは大きく変動する。これは、ビデオサービスの品質など、比較的高いサービスレートを必要とするサービスの品質に大きく影響する。特に、端末の新しく入ったセルの負荷が比較的大きい場合、ハンドオーバの遅延により、ビデオのフリーズが発生するなど、サービス品質が急激に低下する。
【発明の概要】
【０００３】
本出願の実施形態は、端末がセルエッジに移動するときのサービス品質を改善するためのデータ伝送最適化方法、端末、およびネットワーク装置を提供する。
【課題を解決するための手段】
【０００４】
第1の態様によれば、データ伝送最適化方法が提供される。この方法では、端末はトラックコンテキストを事前に生成して保存し、トラックコンテキストは、端末がそれに沿って移動しかつ履歴時間内に端末が通過するトラックルートと、トラックルート上の最適化対象のルートセグメントとを含み、最適化対象のルートセグメントは、セルエッジのパフォーマンスに問題がある位置として理解され得る。移動プロセスで、トラックコンテキストに含まれるトラックルートに沿って移動し、トラックルート上の最適化対象のルートセグメントに到達すると判断すると、端末はネットワーク装置にデータ伝送最適化命令を送信し、データ伝送最適化処理動作を実行するようにネットワーク装置に指示する。ネットワーク装置は、端末によって送信されたデータ伝送最適化命令を受信した後、データ伝送最適化命令に基づいてデータ伝送最適化処理動作を実行する。データ伝送最適化処理動作は、端末のリソース割り当てポリシーを調整することを含み、比較的高いレートを必要とするサービス（ビデオサービスなど）が端末の移動プロセスの影響を受けないようにし、端末がセルエッジに移動する際にサービス品質を向上させる。
【０００５】
可能な設計では、セルエッジパフォーマンスの問題が存在する最適化対象のルートセグメント内で端末が移動すると、事前定義された測定パラメータの値がプリセット閾値範囲を満たし、測定パラメータは、信号品質、アップリンクスループットレート、およびダウンリンクスループットレートを含むが、これらに限定されず、前述の少なくとも1つであってもよい。事前定義された測定パラメータの値は、プリセット閾値範囲を満たし、事前定義された測定パラメータのタイプに基づいて判断される。測定パラメータの値は、プリセット閾値よりも小さくてもよいし、プリセット閾値よりも大きくてもよい。
【０００６】
最適化対象のルートセグメントは、端末が最適化対象のルートセグメントに入る位置ポイントと、端末が最適化対象のルートセグメントを離れる位置ポイントを使用して表されてもよく、位置ポイントは、特定のGPS位置情報でも、端末が保持するローカルマップにバインドされた位置識別子でもよい。あるいは、最適化対象のルートセグメントは、端末が最適化対象のルートセグメントに入る時間と、端末が最適化対象のルートセグメントを離れる時間を使用することによって表されてもよい。あるいは、最適化対象のルートセグメントは、端末が最適化対象のルートセグメントに入る位置ポイントおよび時間と、端末が最適化対象のルートセグメントを離れる位置ポイントおよび時間とを使用することによって表されてもよい。
【０００７】
別の可能な設計では、端末がデータ伝送最適化命令をネットワーク装置に送信する前に、ネットワーク装置はデータ伝送最適化命令パラメータを端末に送信してもよく、データ伝送最適化命令パラメータは報告指示パラメータまたは構成パラメータの少なくとも一方を含む。構成パラメータは、端末にデータ伝送最適化命令を構成するように指示するために使用されるパラメータを含む。端末にデータ伝送最適化命令を構成するように指示するために使用されるパラメータは以下のパラメータの少なくとも1つを含む：最適化対象のルートセグメントを決定するために端末が必要とする事前定義された測定パラメータと閾値範囲；端末がデータ伝送最適化命令を送信する時間または位置であって、端末がデータ伝送最適化命令を送信する時間または位置は、最適化対象のルートセグメントの開始位置と関連関係を有する；端末がデータ伝送最適化命令を送信する送信方法であって、端末がデータ伝送最適化命令を送信する送信方法は：端末によって、トラックルートに含まれる各最適化対象のルートセグメントのためのデータ伝送最適化命令を別々に送信すること、または最適化対象のルートセグメントを含むトラックルートに沿って移動すると判断した場合、もしくは移動のためにトラックルート上で最初の最適化対象のルートセグメントに入ると判断した場合、端末によって、トラックルートに含まれるすべての最適化対象のルートセグメントに必要なデータ伝送最適化命令、およびデータ伝送最適化命令を送信する時間と各最適化対象のルートセグメントに入る時間との時間間隔を送信することを含む。構成パラメータを含むデータ伝送最適化命令パラメータを受信した後、端末は、構成パラメータに基づいてデータ伝送最適化命令を構成してもよい。報告指示パラメータは、端末がセル内でデータ伝送最適化命令を送信できることを示すために使用されるパラメータを含む。報告指示パラメータを含む伝送最適化命令パラメータを受信した後、端末は、データ伝送最適化命令の送信がセル内で許可されていると判断し、データ伝送最適化命令をさらに送信する。
【０００８】
さらに別の可能な設計では、端末は、次の方法のいずれかで、事前に生成されたトラックコンテキストに含まれるトラックルートに沿って移動するかどうかを判断できる。
【０００９】
A：事前に生成されたトラックコンテキストに含まれるトラックルートに沿って移動するかどうかは、ユーザのスケジュール情報とユーザの嗜好情報に基づいて判断される。
【００１０】
B：事前に生成されたトラックコンテキストに含まれるトラックルートに沿って移動するかどうかは、現在の位置、移動方向、移動速度、建物識別子、道路トポロジ、トラフィック情報などの情報に基づいて判断される。
【００１１】
さらに別の可能な設計では、端末は、最適化対象のルートセグメントの開始位置に到達すると判断する前に、指定された時間または指定された位置にデータ伝送最適化命令を送信してもよい。端末は、毎回、最適化対象のルートセグメントの開始位置に到達する前の指定された時間または指定された位置で、到達されるべき最適化対象のルートセグメントのためのデータ伝送最適化命令を送信してもよい。最適化対象のルートセグメントを含むトラックルートに沿って移動すると判断すると、または移動のためにトラックルート上で最初の最適化対象のルートセグメントに入ると判断すると、端末は、トラックルートに含まれるすべての最適化対象のルートセグメントに必要なデータ伝送最適化命令、およびデータ伝送最適化命令を送信する時間と各最適化対象のルートセグメントに入る時間との時間間隔をさらに送信してもよい。
【００１２】
さらに別の可能な設計では、端末が最適化対象のルートセグメントでセルハンドオーバを実行する場合、トラックコンテキストは、端末がハンドオーバされるターゲットセルの識別情報をさらに含む。
【００１３】
さらに別の可能な設計では、データ伝送最適化命令は、端末が高速サービスを実行することを示すサービス指示情報をさらに含んでもよい。例えば、データ伝送最適化命令は、端末がビデオサービスを実行することを示すビデオサービス指示を含むため、現在処理中のサービスに比較的高いレートを必要とするサービスが含まれていると判断した場合、端末はデータ伝送最適化命令を送信する。
【００１４】
データ伝送最適化命令は、ビデオサービス指示、ビデオサービスコンテキスト、ハンドオーバ指示情報、または最適化が実行される時間間隔のうちの1つまたは複数を含み得る。ビデオサービスコンテキスト情報は、ビデオサービスのキャッシュ情報とビットレート情報を含む。ハンドオーバ指示情報は、端末がハンドオーバされるターゲットセルの識別情報を含む。
【００１５】
データ伝送最適化命令が、端末がビデオサービスを実行することを示すビデオサービス指示を含む場合、データ伝送最適化命令によって示されるデータ伝送最適化動作は、端末のリソース割り当てを増やすようにネットワーク装置に指示することであってもよい。リソース制限のために端末のリソース割り当てを増やすことができない場合、データ伝送最適化命令は、ビデオサービスのビットレートを下げるように指示するために使用される指示情報を端末に送信するようネットワーク装置に指示するためにさらに使用される。端末によって送信され、ビデオサービス指示を含むデータ伝送最適化命令を受信した後、ネットワーク装置は、データ伝送最適化命令に基づいて端末のリソース割り当てを増やし、リソース制限のために端末のリソース割り当てを増やすことができない場合、ネットワーク装置は、ビデオサービスのビットレートを下げるよう指示するために使用される指示情報を端末に送信する。
【００１６】
本出願のこの実施形態では、データ伝送最適化命令が、端末がビデオサービスを実行することを示すビデオサービス指示およびビデオサービスコンテキスト情報を含む場合、データ伝送最適化命令によって示されるデータ伝送最適化動作は、キャッシュ情報とビットレート情報に基づいて、プリセット期間内に既存のリソースを使用して端末によって伝送されるデータの量がビデオサービスの伝送に必要なデータ量よりも少ないと判断すると、端末のリソース割り当てを増やすようにネットワーク装置に指示することであってもよい。ビデオサービスの伝送に必要なデータ量は、プリセット期間内のビデオサービスコンテキスト情報に含まれるビットレート情報に対応するデータ量からビデオキャッシュのデータ量を差し引くことで取得でき、ビデオキャッシュのデータ量は、ビデオコンテキストのキャッシュ情報を使用して取得できる。ネットワーク装置は、ビデオサービスコンテキスト情報とビデオサービス指示を含むデータ伝送最適化命令を受信し、端末のリソース割り当てを増やす前に、キャッシュ情報とビットレート情報に基づいて、プリセット期間内に既存のリソースを使用して端末が伝送するデータのデータ量がビデオサービスの伝送に必要なデータ量よりも少ないと判断する。
【００１７】
データ伝送最適化命令がハンドオーバ指示情報を含む場合、データ伝送最適化命令は、ネットワーク装置に、データ最適化処理動作を実行する前に、ハンドオーバ指示情報に含まれる識別情報に対応するターゲットセルの負荷情報を取得し、ターゲットセルの負荷がプリセット閾値よりも大きいと判断するように指示するためにさらに使用される。ネットワーク装置は、ハンドオーバ指示情報を含むデータ伝送最適化命令を受信した後、データ最適化処理動作を行う前に、ハンドオーバ指示情報に含まれる識別情報に対応するターゲットセルの負荷情報を取得し、ターゲットセルがプリセット閾値よりも大きいと判断する。
【００１８】
データ伝送最適化命令がハンドオーバ指示情報を含む場合、データ伝送最適化命令は、端末が現在位置しているサービングセルが属するネットワーク装置に、ターゲットセルが属するネットワーク装置にハンドオーバ要求を送信するように指示して、ターゲットセルが属するネットワーク装置にデータ伝送最適化の準備を事前に行うように要求するためにさらに使用される。任意選択で、データ伝送最適化命令は、端末が現在位置しているサービングセルが属するネットワーク装置に、端末のビデオサービスコンテキスト情報をターゲットセルが属するネットワーク装置に送信するように指示するために使用される。ネットワーク装置が伝送最適化命令を受信した後、ネットワーク装置は、ターゲットセルが属するネットワーク装置にハンドオーバ要求を送信し、ターゲットセルが属するネットワーク装置に端末のビデオサービスコンテキスト情報を送信し、ターゲットセルが属するネットワーク装置にデータ伝送最適化の準備を事前に行うように要求する。データ伝送最適化の準備は、事前にアクセス制御を実行することを含む。ターゲットセルが属するネットワーク装置は、データ伝送最適化の準備を事前に行い、端末によるアクセスが許可されていると判断した場合、端末が現在位置しているサービングセルが属するネットワーク装置にハンドオーバ要求応答メッセージを送信する。ターゲットセルが属するネットワーク装置によって送信され、端末によるアクセスが許可されていることを示す情報を含むハンドオーバ要求応答メッセージを受信した後、端末が現在位置しているサービングセルが属するネットワーク装置は、端末がターゲットセルのハンドオーバ測定レポートを報告するのを待つ。端末が現在位置しているサービングセルが属するネットワーク装置は、ターゲットセルが属するネットワーク装置が端末によるアクセスが許可されていると判断したと判断した場合、および端末のハンドオーバ測定レポートを受信したと判断した場合に、ハンドオーバコマンドを端末に送信する。ターゲットセルは、端末がハンドオーバされるターゲットセルの識別子に対応し、データ伝送最適化の準備は、事前にアクセス制御を実行することを含む。
【００１９】
ハンドオーバコマンドを送信した後、端末が現在位置しているサービングセルが属するネットワーク装置は、データ伝送最適化処理動作を終了してもよい。
【００２０】
ターゲットセルが属するネットワーク装置によって送信され得るハンドオーバ要求応答メッセージは負荷情報を搬送するため、端末が現在位置しているサービングセルが属するネットワーク装置はターゲットセルの負荷状態を学習する。
【００２１】
さらに別の可能な設計では、データ伝送最適化命令は、最適化が実行される時間間隔をさらに含む。データ伝送最適化命令に最適化を実行する時間間隔が含まれる場合、データ伝送最適化命令を使用して、端末が現在位置しているサービングセルが属するネットワーク装置に、最適化が実行される時間間隔でデータ伝送最適化処理動作を実行するように指示する。
【００２２】
さらに別の可能な設計では、データ伝送最適化処理動作は、端末のカバレッジ強化最適化機能を有効にすることをさらに含み、カバレッジ強化最適化機能は、協調マルチポイント伝送技術または伝送時間間隔バンドリング技術の少なくとも一方を含む。
【００２３】
第2の態様によれば、端末が提供される。端末は、第1の態様における端末を実装する機能を有し、その機能は、ハードウェアにより実装されてもよいし、対応するソフトウェアを実行することによりハードウェアにより実装されてもよい。ハードウェアまたはソフトウェアは、機能に対応する1つまたは複数のモジュールを含む。モジュールはソフトウェアおよび／またはハードウェアであってもよい。
【００２４】
可能な設計では、端末は処理ユニットと送信ユニットを含み、受信ユニットをさらに含んでもよく、受信ユニット、処理ユニット、および送信ユニットの機能は方法のステップに対応し得る。詳細はここでは再度説明しない。
【００２５】
別の可能な設計では、端末は受信機、メモリ、プロセッサ、および送信機を含み、メモリは命令を格納するように構成され、プロセッサは、処理ユニットの機能を実装するためにメモリに格納された命令を呼び出して、受信ユニットと送信ユニットに対応する機能を実装するために受信ユニットと送信ユニットを制御するように構成される。
【００２６】
第3の態様によれば、ネットワーク装置が提供される。ネットワーク装置は、第1の態様におけるネットワーク装置を実現する機能を有し、その機能は、ハードウェアにより実現されてもよく、対応するソフトウェアを実行することによりハードウェアにより実現されてもよい。ハードウェアまたはソフトウェアは、機能に対応する1つまたは複数のモジュールを含む。モジュールはソフトウェアおよび／またはハードウェアであってもよい。
【００２７】
可能な設計では、ネットワーク装置は受信ユニットおよび処理ユニットを含み、送信ユニットをさらに含んでもよく、受信ユニット、処理ユニット、および送信ユニットの機能は方法のステップに対応し得る。詳細はここでは再度説明しない。
【００２８】
別の可能な設計では、ネットワーク装置はトランシーバ、メモリ、およびプロセッサを含み、メモリは命令を格納するように構成され、プロセッサは処理ユニットの機能を実装するためにメモリに格納された命令を呼び出して、受信ユニットと送信ユニットに対応する機能を実装するためにトランシーバを制御するように構成される。
【００２９】
本出願で提供されるデータ伝送最適化方法、端末、およびネットワーク装置によれば、端末は事前に生成されたトラックコンテキストに含まれるトラックルートに沿って移動し、トラックルート上の最適化対象のルートセグメントに到達することを判断し、データ伝送最適化命令をネットワーク装置に送信して、ネットワーク装置にデータ伝送最適化処理動作を実行するよう指示する。ネットワーク装置は、端末から送信されたデータ伝送最適化命令を受信した後、データ伝送最適化命令に基づいてデータ伝送最適化処理動作を実行し、比較的高いレートを必要とするサービス（ビデオサービスなど）が端末の移動プロセスの影響を受けることを確実にし、これにより端末がセルエッジに移動したときのサービス品質が向上する。
【図面の簡単な説明】
【００３０】
【図１】本出願が適用される無線通信システムの概略アーキテクチャ図である。
【図２】本出願の一実施形態によるデータ伝送最適化方法の実施のフローチャートである。
【図３】本出願の一実施形態による、端末により記録されたトラックルートの概略図である。
【図４】本出願の一実施形態による端末の概略構成図である。
【図５】本出願の一実施形態による別の端末の概略構成図である。
【図６】本発明の一実施形態によるネットワーク装置の概略構成図である。
【図７】本発明の一実施形態による別のネットワーク装置の概略構成図である。
【発明を実施するための形態】
【００３１】
以下、添付図面を参照しながら、本出願の実施形態について説明する。
【００３２】
最初に、本出願におけるいくつかの用語が、当業者による理解を容易にするために説明および記載されている。
【００３３】
（1）ネットワーク装置は、無線アクセスネットワーク（Radio Access Network，RAN）装置とも呼ばれ、端末を無線ネットワークに接続する装置であってもよく：進化型ノードB（evolved Node B，eNB）、無線ネットワークコントローラ（Radio Network Controller，RNC）、ノードB（Node B，NB）、基地局コントローラ（Base Station Controller，BSC）、基地トランシーバ局（Base Transceiver Station，BTS）、フェムト基地局（例えば、Home evolved NodeB、またはHome Node B，HNB）、ベースバンドユニット（Baseband Unit，BBU）、ワイヤレスフィデリティ（Wireless Fidelity，WIFI）アクセスポイント（Access Point，AP）、送信ポイント（transmission and receiver point，TRPまたはtransmission point，TP）などを含むが、これらに限定されない。
【００３４】
（2）端末は、ユーザに音声および／またはデータ接続を提供する装置であり、さまざまなハンドヘルド装置、車載装置、ウェアラブル装置、または無線通信機能を備えたコンピューティング装置、または無線モデムに接続された別の処理装置、およびさまざまな形式のユーザ機器（User Equipment，UE）、移動局（Mobile station，MS）、端末（Terminal Equipment）、および送信ポイント（transmission and receiver point，TRPまたはtransmission point，TP）を含んでもよい。
【００３５】
（3）本出願の「交換」は、2つの交換パーティが互いに情報を転送するプロセスである。ここで転送される情報は、同じでも異なっていてもよい。例えば、2つの交換パーティは、基地局1と基地局2である。基地局1は、基地局2からの情報を要求してもよく、基地局2は、基地局1が要求した情報を基地局1に提供する。もちろん、基地局1と基地局2は互いに情報を要求してもよい。ここで要求される情報は、同じでも異なっていてもよい。
【００３６】
（4）「複数」とは、2つまたは3つ以上を指す。「および／または」という用語は、関連オブジェクトを記述するための関連関係を記述し、3つの関係が存在し得ることを表す。例えば、Aおよび／またはBは、Aのみが存在する場合、AとBの両方が存在する場合、Bのみが存在する場合、の3つの場合を表すことができる。文字「／」は、一般に、関連オブジェクト間の「または」の関係を示す。
【００３７】
（5）「ネットワーク」と「システム」という用語は常に代替的に使用されるが、当業者はそれらの意味を理解できる。用語情報（information）、信号（signal）、メッセージ（message）、およびチャネル（channel）が混在する場合がある。用語間の違いが強調されていない場合、用語の意味は一貫していることに注意する必要がある。「の（of）」、「対応する（corresponding）」、および「関連する（relevant）」が混在する場合がある。用語間の違いが強調されていない場合、用語の意味は一貫していることに注意する必要がある。
【００３８】
本出願の実施形態で提供されるデータ伝送最適化方法は、図1に示される無線通信システムに適用されてもよい。図1に示すように、端末は、基地局などのネットワーク装置を使用して無線ネットワークにアクセスし、端末はコアネットワーク（Core Network，CN）装置を使用して外部ネットワークと通信する。このシステムでは、基地局は情報を交換できる。例えば、ロングタームエボリューション（Long Term Evolution，LTE）システムでは、基地局間のインタフェースはX2インタフェースと呼ばれ、基地局はX2インタフェースを使用して情報を交換できる。さらに、基地局と端末との間のインタフェースは、Uuインタフェースまたはエアインタフェースと呼ばれ、基地局はエアインタフェースを使用して端末と通信する。基地局とCN装置との間のインタフェースはS1インタフェースと呼ばれ、基地局はS1インタフェースを使用してCN装置と通信する。CN装置は、モビリティ管理エンティティ（Mobility Management Entity，MME）およびサービングゲートウェイ（Serving Gateway，S−GW）を含み得る。基地局とS−GWはユーザプレーン情報を交換し、基地局とMMEは制御プレーン情報を交換する。
【００３９】
無線通信システムは、無線通信機能を提供するネットワークであることが理解され得る。無線通信システムでは、例えば、コード分割多元接続（code division multiple access，CDMA）、広帯域コード分割多元接続（wideband code division multiple access，WCDMA（登録商標））、時分割多元接続（time division multiple access，TDMA）、周波数分割多重アクセス（frequency division multiple access，FDMA）、直交周波数分割多重アクセス（orthogonal frequency−division multiple access，OFDMA）、シングルキャリア周波数分割多重アクセス（single Carrier FDMA，SC−FDMA）、衝突回避方式の搬送波感知多重アクセス（Carrier Sense Multiple Access with Collision Avoidance）など、さまざまな通信技術が使用され得る。さまざまなネットワークの容量、レート、遅延などの要因に基づいて、ネットワークは2G（英語：generation）ネットワーク、3Gネットワーク、4Gネットワーク、および5Gネットワークなどの将来の進化型ネットワークに分類され得る。典型的な2Gネットワークは、モバイル通信用のグローバルシステム（global system for mobile communications／general packet radio service，GSM（登録商標））ネットワークまたは汎用パケット無線サービス（general packet radio service，GPRS）ネットワークを含む。典型的な3Gネットワークは、ユニバーサルモバイルテレコミュニケーションシステム（universal mobile telecommunications system，UMTS）ネットワークを含む。典型的な4Gネットワークは、ロングタームエボリューション（long term evolution，LTE）ネットワークを含む。UMTSネットワークは、ユニバーサル地上無線アクセスネットワーク（universal terrestrial radio access network，UTRAN）と呼ばれることもあり、LTEネットワークは、進化型ユニバーサル地上無線アクセスネットワーク（evolved universal terrestrial radio access network，E−UTRAN）と呼ばれることもある。さまざまなリソース割り当て方法に基づいて、ネットワークは、セルラ通信ネットワークと無線ローカルエリアネットワーク（wireless local area networks，WLAN）に分類され得る。セルラ通信ネットワークはスケジューリングに基づいており、WLANは競合に基づいている。前述の2G、3G、および4Gネットワークはすべてセルラ通信ネットワークである。当業者であれば、技術の発展に伴い、本出願の実施形態で提供される技術的解決策は、4．5Gもしくは5Gネットワークなどの別の無線通信ネットワーク、または別の非セルラ通信ネットワークにも適用できることは周知である。簡潔にするために、無線通信ネットワークは、本出願の実施形態では略してネットワークと呼ばれることもある。
【００４０】
セルラ通信ネットワークは、無線通信ネットワークの一種である。セルラ通信ネットワークは、セルラ無線ネットワーキングモードを使用し、無線チャネルを使用して端末をネットワーク装置に接続し、端末移動プロセスで相互通信を実現する。セルラ通信ネットワークは、主に端末のモビリティによって特徴付けられ、セル間ハンドオーバとローカルネットワーク全体の自動ローミングの機能を備えている。
【００４１】
端末移動プロセスでは、セルエッジのパフォーマンスの問題により、サービスレートが急激に変動する。これは、ビデオサービスの品質など、比較的高いサービスレートを必要とするサービスの品質に大きく影響する。特に、端末の新しく入ったセルの負荷が比較的大きい場合、ハンドオーバの遅延により、ビデオのフリーズが発生するなど、サービス品質が急激に低下する。
【００４２】
本出願の実施形態では、端末はトラックコンテキストを事前に生成し、トラックコンテキストは、端末がそれに沿って移動しかつ履歴時間内に端末が通過するトラックルートと、トラックルート上の最適化対象のルートセグメントとを含み、最適化対象のルートセグメントは、セルエッジのパフォーマンスに問題がある位置として理解され得る。端末が最適化対象のルートセグメント内を移動するときに、事前定義された測定パラメータの値がプリセット閾値範囲を満たし、測定パラメータは、信号品質、アップリンクスループットレート、およびダウンリンクスループットレートを含むが、これらに限定されない。したがって、移動プロセスで、トラックコンテキストに含まれるトラックルートに沿って移動し、トラックルート上の最適化対象のルートセグメントに到達すると判断すると、端末はネットワーク装置にデータ伝送最適化命令を送信して、ネットワーク装置にデータ伝送最適化処理動作を実行するよう指示し、比較的高いレートを必要とするサービス（ビデオサービスなど）が端末移動プロセスの影響を受けないことを確実にし、これにより端末がセルエッジに移動するときのサービス品質が向上する。
【００４３】
本出願の実施形態において、以下に、実際の用途を参照して本出願で提供されるデータ伝送最適化方法を説明する。
【００４４】
図2は、本出願の一実施形態によるデータ伝送最適化方法の実施のフローチャートである。図2を参照すると、この方法は以下を含む：
【００４５】
S101．端末はトラックコンテキストを事前に生成する。
【００４６】
トラックコンテキストは、端末がそれに沿って移動しかつ履歴時間内に端末が通過するトラックルートと、トラックルート上の最適化対象のルートセグメントとを含み、最適化対象のルートセグメントは、セルエッジのパフォーマンスに問題がある位置として理解され得る。端末が最適化対象のルートセグメント内を移動するときに、事前定義された測定パラメータの値がプリセット閾値範囲を満たし、測定パラメータは、信号品質、アップリンクスループットレート、およびダウンリンクスループットレートを含むが、これらに限定されず、または前述の少なくとも1つであってもよい。
【００４７】
端末によって事前に生成された複数のトラックコンテキストがあってもよく、トラックコンテキストの生成方法は、履歴データ学習、最小二乗法、ビッグデータクラスタリングなどの方法を含むが、これらに限定されない。例えば、端末は毎日の移動のトラックルートを記録できる。図3に示すように、端末を携帯するユーザは毎日自宅から会社に行き、通過するトラックルートはA→Fで表されるルートであり、端末はトラックルートA→Fを記録し、トラックルート上のすべての最適化対象のルートセグメントを記録する。記録された最適化対象のルートセグメントはすべて、端末がこれらのルートセグメントに入るシーケンスに従って配置され得る。図3に示すトラックルートA→Fでは、端末はセル1のセル中心からセル1のエッジまで移動し、セル2のセルエッジまで移動し、セル2のセル中心に入り、そしてセル2のセル中心からセル2のエッジに移動し、セル3のセルエッジに移動して、セル3のセル中心に入る。最適化対象のルートセグメントは、セル1のエッジ位置とセル2のエッジ位置との間の最適化対象のルートセグメント（最適化対象のルートセグメントBC）、およびセル2のエッジ位置とセル3のエッジ位置との間の最適化対象のルートセグメント（最適化対象のルートセグメントDE）を含み得る。最適化対象のルートセグメントBCおよび最適化対象のルートセグメントDEの事前定義された測定パラメータの値は、プリセット閾値範囲を満たす。事前定義された測定パラメータは、基準信号受信電力（Reference Signal Receiving Power，RSRP）または基準信号受信電力（Reference Signal Receiving Quality，RSRQ）などの信号品質であってもよく、ユーザのダウンリンクレートまたはアップリンク送信レートであってもよい。プリセット閾値範囲は、ネットワーク装置によって構成されてもよく、端末の経験値または事前定義値であってもよい。例えば、測定パラメータが信号品質、アップリンクスループットレート、またはダウンリンクスループットレートの場合、測定パラメータの値はプリセット閾値よりも小さくなる。測定パラメータがセル負荷の場合、測定パラメータの値はプリセット閾値より大きくなる場合がある。
【００４８】
本出願のこの実施形態では、端末によって事前に生成されたトラックコンテキストに含まれる最適化対象のルートセグメントは、以下の方法のうちの少なくとも1つで表されてもよい。
【００４９】
A：最適化対象のルートセグメントは、端末が最適化対象のルートセグメントに入る位置ポイントと、端末が最適化対象のルートセグメントを離れる位置ポイントを使用して表され、位置ポイントは、特定の全地球測位システム（Global Positioning System，GPS）の位置情報でもよいし、道路xxの番号xxなど、端末が保持するローカルマップにバインドされた位置識別子でもよい。
【００５０】
B：最適化対象のルートセグメントは、端末が最適化対象のルートセグメントに入る時間と、端末が最適化対象のルートセグメントを離れる時間を使用して表される。
【００５１】
C：最適化対象のルートセグメントは、端末が最適化対象のルートセグメントに入る位置ポイントおよび時間と、端末が最適化対象のルートセグメントを離れる位置ポイントおよび時間とを使用することによって表されてもよい。
【００５２】
端末が最適化対象のルートセグメントでセルハンドオーバを実行する場合、端末によって事前に生成されたトラックコンテキストは、端末がハンドオーバされるターゲットセルの識別情報をさらに含む。端末は、各最適化対象のルートセグメントにハンドオーバ測定イベント報告に関する記録情報があるかどうかを判定することにより、最適化対象のルートセグメントでセルハンドオーバを実行するかどうかを判定することができ、また、測定イベントが報告された場合は、最適化対象のルートセグメントでセルハンドオーバを実行すると判断する。例えば、図3に示される概略図において、最適化対象のルートセグメントBCおよび最適化対象のルートセグメントDEにおいて測定イベント報告を記録する記録情報があると端末が判断した場合、端末はセルハンドオーバを実行すると判断する。端末によって事前に生成されたトラックコンテキストは、セル2およびセル3の識別情報をさらに含む。
【００５３】
任意選択で、特定の最適化対象のルートセグメントでセルハンドオーバを実行するかどうかは、ハンドオーバ測定イベント報告の記録があるかどうかに基づいて端末によって、またはハンドオーバ測定イベントに対応するハンドオーバコマンドが所定の時間内に配信されるかどうかを判定することによって、判断され得る。
【００５４】
本出願のこの実施形態では、端末によって事前に生成されたトラックコンテキストは、表1に記載された方法で表されてもよいが、表1に記載された方法に限定されない。
【００５５】
【表１】
2020510347.tif 000003
【００５６】
表1では、Aは端末によって記録されたトラックルートの開始位置ポイントであり、Fは端末によって記録されたトラックルートの終了位置ポイントである。Bは、端末が最初の最適化対象のルートセグメントに入る位置ポイントであり、Cは、端末が最初の最適化対象のルートセグメントを離れる位置ポイントである。Dは、端末が2番目の最適化対象のルートセグメントに入る位置ポイントであり、Eは、端末が2番目の最適化対象のルートセグメントを離れる位置ポイントである。t1は、端末が最初の最適化対象のルートセグメントに入る時間を表し、t2は、端末が最初の最適化対象のルートセグメントを離れる時間を表し、t3は、端末が2番目の最適化対象のルートセグメントに入る時間を表し、t4は、端末が2番目の最適化対象のルートセグメントを離れる時間を表す。
【００５７】
S102．ネットワーク装置は、データ伝送最適化命令パラメータを端末に送信し、端末は、ネットワーク装置によって送信されたデータ伝送最適化命令パラメータを受信する。
【００５８】
データ伝送最適化命令パラメータは、報告指示パラメータまたは構成パラメータの少なくとも一方を含む。
【００５９】
報告指示パラメータは、端末がセルでデータ伝送最適化命令を送信できることを示すために使用されるパラメータを含み、端末がセルでデータ伝送最適化命令を送信できることを示すために使用されるパラメータは各セルに固有のものであってもよく、各端末に固有のものであってもよい。
【００６０】
構成パラメータは、端末にデータ伝送最適化命令を構成するように指示するために使用されるパラメータを含む。端末にデータ伝送最適化命令を構成するように指示するために使用されるパラメータは以下のパラメータの少なくとも1つを含む：
A：最適化対象のルートセグメントを決定するために端末が必要とする事前定義された測定パラメータと閾値範囲；
B：端末がデータ伝送最適化命令を送信する時間または位置であって、ここで端末がデータ伝送最適化命令を送信する時間または位置は、最適化対象のルートセグメントの開始位置と関連関係を有し、例えば、端末がデータ伝送最適化命令を送信する時間は、最適化対象のルートセグメントの開始位置に到達する前の指定された時間であり、端末がデータ伝送最適化命令を送信する位置は、最適化対象のルートセグメントの開始位置の前の指定された位置である；
C：端末がデータ伝送最適化命令を送信する送信方法であって、端末がデータ伝送最適化命令を送信する送信方法は：端末によって、トラックルートに含まれる各最適化対象のルートセグメントのためのデータ伝送最適化命令を別々に送信すること、または最適化対象のルートセグメントを含むトラックルートに沿って移動すると判断した場合、もしくは移動のためにトラックルート上で最初の最適化対象のルートセグメントに入ると判断した場合、端末によって、トラックルートに含まれるすべての最適化対象のルートセグメントに必要なデータ伝送最適化命令、およびデータ伝送最適化命令を送信する時間と各最適化対象のルートセグメントに入る時間との時間間隔を送信することを含む。
【００６１】
本出願のこの実施形態におけるS102は、オプションのステップであることが理解され得る。S102が含まれない場合、端末は、セルでデータ伝送最適化命令を送信できるように事前構成されてもよく、データ伝送最適化命令は事前構成された方法で構成される。
【００６２】
S103．端末は、トラックコンテキストに含まれるトラックルートに沿って移動し、トラックルート上の最適化対象のルートセグメントに到達すると判断する。
【００６３】
本出願のこの実施形態では、端末は、事前に生成されたトラックコンテキストに含まれるトラックルートに沿って移動し、トラックルート上の最適化対象のルートセグメントに到達するかどうかを直接判断し得るか、または端末がデータ伝送の最適化を実行する必要があると判断した場合（例えば、端末は、現在処理されているサービスに比較的高いレートを必要とするサービスが含まれると判断し、比較的高いレートを必要とするサービスにはビデオサービス、ライブブロードキャストサービス、緊急度の高いFTPアップロードサービスなどが含まれるが、これらに限定されない）、事前に生成されたトラックコンテキストに含まれるトラックルートに沿って移動し、トラックルート上の最適化対象のルートセグメントに到達するかどうかを判断し得る。
【００６４】
本出願のこの実施形態では、端末は、以下の方法のうちの1つで、事前に生成されたトラックコンテキストに含まれるトラックルートに沿って移動するかどうかを決定し得る。
【００６５】
A：事前に生成されたトラックコンテキストに含まれるトラックルートに沿って移動するかどうかは、ユーザのスケジュール情報とユーザの嗜好情報に基づいて判断される。例えば、現在の時間が営業日の営業時間であり、ユーザが常にトラックA→Fに沿ってAからBに移動する場合、端末が作業ルート（トラックルート）A→Fを移動していると判断できる。
【００６６】
B：事前に生成されたトラックコンテキストに含まれるトラックルートに沿って移動するかどうかは、現在の位置、移動方向、移動速度、建物識別子、道路トポロジ、トラフィック情報などの情報に基づいて判断される。例えば、A→Fは道路X上の位置ポイントであり、端末は現在道路X上のAからFの方向に移動している。端末がトラックルートA→Fで移動していると判断できる。
【００６７】
S104．端末は、データ伝送最適化命令をネットワーク装置に送信する。
【００６８】
本出願のこの実施形態では、トラックコンテキストに含まれるトラックルートに沿って移動し、トラックルート上の最適化対象のルートセグメントに到達すると判断すると、端末は、データ伝送最適化命令をネットワーク装置に送信する。データ伝送最適化命令は、ネットワーク装置にデータ伝送最適化処理動作を実行するよう指示するために使用され、データ伝送最適化処理動作は、端末のリソース割り当てポリシーを調整することを含む。
【００６９】
本出願のこの実施形態では、端末は、最適化対象のルートセグメントの開始位置に到達すると判断する前に、指定された時間または指定された位置でデータ伝送最適化命令を送信することができる。端末は、トラックルートに含まれる各最適化対象のルートセグメントのデータ伝送最適化命令を個別に送信することができ、つまり、端末は、最適化対象のルートセグメントの開始位置に到達する前に毎回、指定された時間または指定された位置で、到達すべき最適化対象のルートセグメントのデータ伝送最適化命令を送信する。最適化対象のルートセグメントを含むトラックルートに沿って移動すると判断すると、または移動のためにトラックルート上で最初の最適化対象のルートセグメントに入ると判断すると、端末は、トラックルートに含まれるすべての最適化対象のルートセグメントに必要なデータ伝送最適化命令、およびデータ伝送最適化命令を送信する時間と各最適化対象のルートセグメントに入る時間との時間間隔をさらに送信してもよい。
【００７０】
本出願のこの実施形態では、現在処理されているサービスが比較的高いレートを必要とするサービスを含むと判断した場合、端末はデータ伝送最適化命令を送信し、データ伝送最適化命令は、端末が高速サービスを実行することを示すサービス指示情報をさらに含んでもよく、例えば、データ伝送最適化命令は、端末がビデオサービスを実行することを示すビデオサービス指示を含む。
【００７１】
本出願のこの実施形態では、データ伝送最適化命令が、端末がビデオサービスを実行することを示すビデオサービス指示を含む例が、以下の説明のために使用される。別のサービス種別も同様であり、詳細はここでは再度説明しない。
【００７２】
本出願のこの実施形態では、データ伝送最適化命令が、端末がビデオサービスを実行することを示すビデオサービス指示を含む場合、データ伝送最適化命令によって示されるデータ伝送最適化動作は、端末のリソース割り当てを増やすようにネットワーク装置に指示することであってもよい。リソース制限のために端末のリソース割り当てを増やすことができない場合、データ伝送最適化命令は、ビデオサービスのビットレートを下げるように指示するために使用される指示情報を端末に送信するようネットワーク装置に指示するためにさらに使用される。
【００７３】
本出願のこの実施形態では、データ伝送最適化命令は、ビデオサービスコンテキスト情報をさらに含んでもよく、ビデオサービスコンテキスト情報は、ビデオサービスのキャッシュ情報およびビットレート情報を含む。
【００７４】
本出願のこの実施形態では、データ伝送最適化命令が、端末がビデオサービスを実行することを示すビデオサービス指示およびビデオサービスコンテキスト情報を含む場合、データ伝送最適化命令によって示されるデータ伝送最適化動作は、キャッシュ情報とビットレート情報に基づいて、プリセット期間内に既存のリソースを使用して端末によって伝送されるデータの量がビデオサービスの伝送に必要なデータ量よりも少ないと判断すると、端末のリソース割り当てを増やすようにネットワーク装置に指示することであってもよい。例えば、ビデオサービスの伝送に必要なデータ量は、プリセット期間内のビデオサービスコンテキスト情報に含まれるビットレート情報に対応するデータ量からビデオキャッシュのデータ量を差し引くことで取得でき、ビデオキャッシュのデータ量は、ビデオコンテキストのキャッシュ情報を使用して取得できる。
【００７５】
本出願のこの実施形態では、データ伝送最適化命令は、ハンドオーバ指示情報をさらに含んでもよく、ハンドオーバ指示情報は、端末がハンドオーバされるターゲットセルの識別情報を含む。
【００７６】
本出願のこの実施形態では、データ伝送最適化命令がハンドオーバ指示情報を含む場合、データ伝送最適化命令は、ネットワーク装置に、データ最適化処理動作を実行する前に、ハンドオーバ指示情報に含まれる識別情報に対応するターゲットセルの負荷情報を取得し、ターゲットセルの負荷がプリセット閾値よりも大きいと判断するように指示するためにさらに使用される。
【００７７】
本出願のこの実施形態では、データ伝送最適化命令がハンドオーバ指示情報を含む場合、データ伝送最適化命令は、端末が現在位置しているサービングセルが属するネットワーク装置に、ターゲットセルが属するネットワーク装置にハンドオーバ要求を送信するように指示して、ターゲットセルが属するネットワーク装置にデータ伝送最適化の準備を事前に行うように要求するためにさらに使用される。任意選択で、データ伝送最適化命令は、端末が現在位置しているサービングセルが属するネットワーク装置に、端末のビデオサービスコンテキスト情報をターゲットセルが属するネットワーク装置に送信するように指示するために使用される。ターゲットセルが属するネットワーク装置は、データ伝送最適化の準備を事前に行い、データ伝送最適化の準備は、事前にアクセス制御を実行することを含み、端末によるアクセスが許可されていると判断した場合、端末が現在位置しているサービングセルが属するネットワーク装置にハンドオーバ要求応答メッセージを送信する。ターゲットセルが属するネットワーク装置によって送信され、端末によるアクセスが許可されていることを示す情報を含むハンドオーバ要求応答メッセージを受信した後、端末が現在位置しているサービングセルが属するネットワーク装置は、端末がターゲットセルのハンドオーバ測定レポートを報告するのを待つ。端末が現在位置しているサービングセルが属するネットワーク装置は、ターゲットセルが属するネットワーク装置が端末によるアクセスが許可されていると判断したと判断した場合、および端末のハンドオーバ測定レポートを受信したと判断した場合に、ハンドオーバコマンドを端末に送信する。ターゲットセルは、端末がハンドオーバされるターゲットセルの識別子に対応し、データ伝送最適化の準備は、事前にアクセス制御を実行することを含む。
【００７８】
ハンドオーバコマンドを送信した後、端末が現在位置しているサービングセルが属するネットワーク装置は、データ伝送最適化処理動作を終了してもよい。
【００７９】
ターゲットセルが属するネットワーク装置によって送信され得るハンドオーバ要求応答メッセージは負荷情報を搬送するため、端末が現在位置しているサービングセルが属するネットワーク装置はターゲットセルの負荷状態を学習する。
【００８０】
本出願のこの実施形態では、データ伝送最適化命令は、最適化が実行される時間間隔をさらに含む。データ伝送最適化命令に最適化を実行する時間間隔が含まれる場合、データ伝送最適化命令を使用して、端末が現在位置しているサービングセルが属するネットワーク装置に、最適化が実行される時間間隔でデータ伝送最適化処理動作を実行するように指示する。
【００８１】
本出願のこの実施形態では、データ伝送最適化命令は、ビデオサービス指示、ビデオサービスコンテキスト、ハンドオーバ指示情報、または最適化が実行される時間間隔のうちの1つまたは複数を含み得る。これは特に限定されない。例えば、端末によって報告されるデータ伝送最適化命令は、表2または表3に示されてもよいが、これに限定されない。
【００８２】
【表２】
2020510347.tif 000004
【００８３】
【表３】
2020510347.tif 000005
【００８４】
本出願のこの実施形態では、データ伝送最適化命令によって示されるデータ伝送最適化処理動作は、ネットワーク装置に、端末のカバレッジ強化最適化機能を有効にするように指示することをさらに含み、ここで、カバレッジ強化最適化機能は、CoMPまたはTTI bundingの少なくとも一方を含む。
【００８５】
S105．ネットワーク装置は、端末によって送信されたデータ伝送最適化命令を受信し、データ伝送最適化命令に基づいてデータ伝送最適化処理動作を実行する。
【００８６】
本出願のこの実施形態では、ネットワーク装置によって実行されるデータ伝送最適化処理動作は、端末のリソース割り当てポリシーを調整することを含む。特定のデータ伝送最適化処理動作は、S104のデータ伝送最適化命令によって示されるデータ伝送最適化処理動作に対応し、詳細はここでは再度説明しない。
【００８７】
上記は、主に、端末とネットワーク装置との間の相互作用の観点から、本出願の実施形態で提供される解決策を説明している。前述の機能を実装するために、端末およびネットワーク装置は、機能を実行するための対応するハードウェア構造および／またはソフトウェアモジュールを含むことが理解され得る。本出願で開示される実施形態で説明されるユニットおよびアルゴリズムステップを参照すると、本出願の実施形態は、ハードウェアまたはハードウェアおよびコンピュータソフトウェアの形態で実装され得る。機能がハードウェアによって実行されるか、またはコンピュータソフトウェアによって駆動されるハードウェアによって実行されるかは、特定の用途および技術的解決策の設計上の制約に依存する。それぞれの特定の用途について、当業者は記載された機能を実装するために異なる方法を使用することができるが、その実装が本出願の実施形態の技術的解決策の範囲外であると考えられるべきではない。
【００８８】
本出願の一実施形態では、機能ユニット分割は、前述の方法例に基づいて端末およびネットワーク装置上で実行され得る。例えば、各機能ユニットは、対応する機能に基づいた分割により取得されてもよく、または2つ以上の機能が1つの処理ユニットに統合されてもよい。統合ユニットは、ハードウェアの形態で実装されてもよく、またはソフトウェア機能ユニットの形態で実装されてもよい。本発明のこの実施形態では、ユニット分割は例であり、単なる論理機能分割であることに留意されたい。実際の実施では、他の分割方法が使用されてもよい。
【００８９】
統合ユニットが使用される場合、図4は端末の概略構成図である。図4を参照すると、端末100は、処理ユニット101と送信ユニット102とを含む。処理ユニット101は、端末がトラックコンテキストに含まれるトラックルートに沿って移動し、トラックルート上の最適化対象のルートセグメントに到達することを判断するように構成され、トラックコンテキストは端末によって事前に生成され、端末がそれに沿って移動しかつ履歴時間内に端末が通過するトラックルートと、トラックルート上の最適化対象のルートセグメントを含み、事前定義された測定パラメータの値は、端末が最適化対象のルートセグメントで移動するときにプリセット閾値範囲を満たし、測定パラメータは、信号品質、アップリンクスループットレート、またはダウンリンクスループットレートの少なくとも1つを含む。送信ユニット102は、処理ユニット101が、端末がトラックコンテキストに含まれるトラックルートに沿って移動し、トラックルート上の最適化対象のルートセグメントに到達すると判断すると、データ伝送最適化命令をネットワーク装置に送信するように構成され、データ伝送最適化命令は、ネットワーク装置にデータ伝送最適化処理動作を実行するように指示するために使用され、データ伝送最適化処理動作は、端末のリソース割り当てポリシーを調整することを含む。
【００９０】
端末は、受信ユニット103をさらに含み、受信ユニット103は、送信ユニット102がネットワーク装置にデータ伝送最適化命令を送信する前に、ネットワーク装置によって送信されたデータ伝送最適化命令パラメータを受信するように構成され、データ伝送最適化指示パラメータは、報告指示パラメータまたは構成パラメータの少なくとも一方を含む。報告指示パラメータは、端末がセル内でデータ伝送最適化命令を送信できることを示すために使用されるパラメータを含む。構成パラメータは、端末にデータ伝送最適化命令を構成するように指示するために使用されるパラメータを含む。
【００９１】
端末にデータ伝送最適化命令を構成するように指示するために使用されるパラメータは以下のパラメータの少なくとも1つを含む：
最適化対象のルートセグメントを決定するために端末が必要とする事前定義された測定パラメータと閾値範囲；
端末がデータ伝送最適化命令を送信する時間または位置であって、端末がデータ伝送最適化命令を送信する時間または位置は、最適化対象のルートセグメントの開始位置と関連関係を有する；
端末がデータ伝送最適化命令を送信する送信方法であって、端末がデータ伝送最適化命令を送信する送信方法は：端末によって、トラックルートに含まれる各最適化対象のルートセグメントのためのデータ伝送最適化命令を別々に送信すること、または最適化対象のルートセグメントを含むトラックルートに沿って移動すると判断した場合、もしくは移動のためにトラックルート上で最初の最適化対象のルートセグメントに入ると判断した場合、端末によって、トラックルートに含まれるすべての最適化対象のルートセグメントに必要なデータ伝送最適化命令、およびデータ伝送最適化命令を送信する時間と各最適化対象のルートセグメントに入る時間との時間間隔を送信することを含む。
【００９２】
可能な実装形態では、トラックコンテキストは、端末がハンドオーバされるターゲットセルの識別情報をさらに含み、処理ユニット101は、端末が最適化対象のルートセグメントでセルハンドオーバを実行する場合、ターゲットセルの識別情報に基づいてセルハンドオーバを実行するようにさらに構成される。
【００９３】
別の可能な実装形態では、データ伝送最適化命令は、端末がビデオサービスを実行することを示すビデオサービス指示を含み、データ伝送最適化処理動作は、端末のリソース割り当てを増やすこと、およびリソース制限のために端末のリソース割り当てを増やすことができない場合、ビデオサービスのビットレートを下げるように指示するために使用される指示情報を端末に送信することを含む。
【００９４】
さらに別の可能な実装形態では、データ伝送最適化命令はビデオサービスコンテキスト情報をさらに含み、ビデオサービスコンテキスト情報はビデオサービスのキャッシュデータ量とビットレート情報を含み、データ伝送最適化命令は、端末のリソース割り当てを増やす前にキャッシュ情報とビットレート情報に基づいて、プリセット期間内に既存のリソースを使用して端末によって伝送されるデータの量がビデオサービスの伝送に必要なデータ量よりも少ないと判断するようにネットワーク装置に指示するためにさらに使用される。
【００９５】
さらに別の可能な実装形態では、データ伝送最適化命令は、ハンドオーバ指示情報をさらに含み、ハンドオーバ指示情報は、端末がハンドオーバされるターゲットセルの識別情報を含み、データ伝送最適化命令は、データ最適化処理動作を実行する前に、識別情報に対応するターゲットセルの負荷情報を取得し、ターゲットセルの負荷がプリセット閾値よりも大きいと判断するようにネットワーク装置に指示するためにさらに使用される。
【００９６】
さらに別の可能な実装形態では、データ伝送最適化命令をさらに使用して：端末が現在位置しているサービングセルが属するネットワーク装置に、ターゲットセルが属するネットワーク装置にハンドオーバ要求を送信するように指示し、ターゲットセルが属するネットワーク装置に端末のビデオサービスコンテキスト情報を送信し、ターゲットセルが属するネットワーク装置にデータ伝送最適化の準備を事前に行うように要求し；ターゲットセルが属するネットワーク装置が端末によるアクセスが許可されていると判断したと判断した場合、および端末のハンドオーバ測定レポートが受信されたと判断した場合、サービングセルが属するネットワーク装置に、ハンドオーバコマンドを端末に送信するよう指示し；データ伝送最適化の準備は、事前にアクセス制御を実行することを含む。
【００９７】
さらに別の可能な実装形態では、データ伝送最適化処理動作は、端末のカバレッジ強化最適化機能を有効にすることを含み、カバレッジ強化最適化機能は、協調マルチポイント伝送技術または伝送時間間隔バンドリング技術の少なくとも一方を含む。
【００９８】
さらに別の可能な実装形態では、データ伝送最適化命令は、最適化が実行される時間間隔をさらに含み、最適化が実行される時間間隔でデータ伝送最適化処理動作を実行するようにネットワーク装置に指示するために使用される。
【００９９】
ハードウェア形式が実装に使用される場合、本出願のこの実施形態では、処理ユニット101は、プロセッサまたはコントローラであってもよく、送信ユニット102は、通信インタフェース、送信機、トランシーバ回路などであってもよく、受信ユニット103は、通信インタフェース、受信機、トランシーバ回路などであってもよい。通信インタフェースは集合的な名称であり、1つまたは複数のインタフェースを含んでもよい。
【０１００】
処理ユニット101がプロセッサであり、送信ユニット102が送信機であり、受信ユニット103が受信機である場合、本出願のこの実施形態における端末100は、図5に示される端末であり得る。図5は、本出願の一実施形態による端末1000の概略構成図、すなわち、本出願の実施形態における別の可能な端末の概略構成図である。図5を参照すると、端末1000は、プロセッサ1001、メモリ1002、および送信機1003を含む。メモリ1002は命令を格納するように構成され、プロセッサ1001は、プロセッサ1001の以下の機能を実行するためにメモリ1002に格納された命令を呼び出して、以下の機能を実行するために送信機1003を制御するように構成される：
プロセッサ1001は、端末がトラックコンテキストに含まれるトラックルートに沿って移動し、トラックルート上の最適化対象のルートセグメントに到達することを判断するように構成され、トラックコンテキストは端末によって事前に生成され、端末がそれに沿って移動しかつ履歴時間内に端末が通過するトラックルートと、トラックルート上の最適化対象のルートセグメントを含み、事前定義された測定パラメータの値は、端末が最適化対象のルートセグメントで移動するときにプリセット閾値範囲を満たし、測定パラメータは、信号品質、アップリンクスループットレート、またはダウンリンクスループットレートの少なくとも1つを含む；
送信機1003は、端末がトラックコンテキストに含まれるトラックルートに沿って移動し、トラックルート上の最適化対象のルートセグメントに到達することをプロセッサ1001が判断すると、ネットワーク装置にデータ伝送最適化命令を送信するように構成され、データ伝送最適化命令は、ネットワーク装置にデータ伝送最適化処理動作を実行するよう指示するために使用され、データ伝送最適化処理動作は、端末のリソース割り当てポリシーを調整することを含む。
【０１０１】
端末は、受信機1004をさらに含み、プロセッサ1001は、受信機1004を制御して：
送信機1003がデータ伝送最適化命令をネットワーク装置に送信する前に、ネットワーク装置によって送信されたデータ伝送最適化命令パラメータを受信する機能を実行するようにさらに構成され、データ伝送最適化命令パラメータは、レポート指示パラメータまたは構成パラメータの少なくとも一方を含む。
【０１０２】
可能な設計では、トラックコンテキストは、端末がハンドオーバされるターゲットセルの識別情報をさらに含み、プロセッサ1001は、端末が最適化対象のルートセグメントでセルハンドオーバを実行する場合、ターゲットセルの識別情報に基づいてセルハンドオーバを実行するようにさらに構成される。
【０１０３】
統合ユニットが使用される場合、図6はネットワーク装置の可能な概略構成図である。図6を参照すると、ネットワーク装置200は、受信ユニット201および処理ユニット202を含む。受信ユニット201は、端末によって送信されたデータ伝送最適化命令を受信するように構成され、データ伝送最適化命令は、トラックコンテキストに含まれるトラックルートに沿って移動し、トラックルート上の最適化対象のルートセグメントに到達すると判断すると端末によって送信され、ネットワーク装置にデータ伝送最適化処理動作を実行するよう指示するために使用され、データ伝送最適化処理動作は、端末のリソース割り当てポリシーを調整することを含み、トラックコンテキストは端末によって事前に生成され、端末がそれに沿って移動しかつ履歴時間内に端末が通過するトラックルートと、トラックルート上の最適化対象のルートセグメントを含み、事前定義された測定パラメータの値は、端末が最適化対象のルートセグメントで移動するときにプリセット閾値範囲を満たし、測定パラメータは、信号品質、アップリンクスループットレート、またはダウンリンクスループットレートの少なくとも1つを含む。処理ユニット202は、受信ユニット201により受信されたデータ伝送最適化命令に基づいて、データ伝送最適化処理動作を実行するように構成される。
【０１０４】
可能な実装形態では、ネットワーク装置は送信ユニット203をさらに含み、送信ユニット203は、受信ユニット201が端末によって送信されたデータ伝送最適化命令を受信する前に、データ伝送最適化命令パラメータを端末に送信するように構成され、データ伝送最適化命令パラメータは、報告指示パラメータまたは構成パラメータの少なくとも一方を含む。報告指示パラメータは、端末がセル内でデータ伝送最適化命令を送信できることを示すために使用されるパラメータを含む。構成パラメータは、端末にデータ伝送最適化命令を構成するように指示するために使用されるパラメータを含む。
【０１０５】
端末にデータ伝送最適化命令を構成するように指示するために使用されるパラメータは以下のパラメータの少なくとも1つを含む：
最適化対象のルートセグメントを決定するために端末が必要とする事前定義された測定パラメータと閾値範囲；
端末がデータ伝送最適化命令を送信する時間または位置であって、端末がデータ伝送最適化命令を送信する時間または位置は、最適化対象のルートセグメントの開始位置と関連関係を有する；
端末がデータ伝送最適化命令を送信する送信方法であって、端末がデータ伝送最適化命令を送信する送信方法は：端末によって、トラックルートに含まれる各最適化対象のルートセグメントのためのデータ伝送最適化命令を別々に送信すること、または最適化対象のルートセグメントを含むトラックルートに沿って移動すると判断した場合、もしくは移動のためにトラックルート上で最初の最適化対象のルートセグメントに入ると判断した場合、端末によって、トラックルートに含まれるすべての最適化対象のルートセグメントに必要なデータ伝送最適化命令、およびデータ伝送最適化命令を送信する時間と各最適化対象のルートセグメントに入る時間との時間間隔を送信することを含む。
【０１０６】
別の可能な実装形態では、端末が最適化対象のルートセグメントでセルハンドオーバを実行する場合、トラックコンテキストは、端末がハンドオーバされるターゲットセルの識別情報をさらに含む。
【０１０７】
さらに別の可能な実装形態では、データ伝送最適化命令は、端末がビデオサービスを実行することを示すビデオサービス指示を含み、処理ユニット202は、データ伝送最適化命令に基づいて、端末のリソース割り当てを増やすこと、およびリソース制限のために端末のリソース割り当てを増やすことができない場合、ビデオサービスのビットレートを下げるように指示するために使用される指示情報を端末に送信することにより、データ伝送最適化処理動作を実行する。
【０１０８】
さらに別の可能な実装形態では、データ伝送最適化命令はビデオサービスコンテキスト情報をさらに含み、ビデオサービスコンテキスト情報はビデオサービスのキャッシュ情報とビットレート情報を含み、処理ユニット202は、端末のリソース割り当てを増やす前に、キャッシュ情報およびビットレート情報に基づいて、プリセット期間内に既存のリソースを使用して端末によって伝送されるデータの量がビデオサービスの伝送に必要なデータ量よりも少ないと判断するようにさらに構成される。
【０１０９】
さらに別の可能な実装形態では、データ伝送最適化命令は、ハンドオーバ指示情報をさらに含み、ハンドオーバ指示情報は、端末がハンドオーバされるターゲットセルの識別情報を含み、処理ユニット202は、データ伝送最適化命令に基づいてデータ伝送最適化処理動作を実行する前に、識別情報に対応するターゲットセルの負荷情報を取得し、ターゲットセルの負荷がプリセット閾値より大きいと判断するようにさらに構成される。
【０１１０】
さらに別の可能な実施形態では、ネットワーク装置は、送信ユニット203をさらに含み、処理ユニット202は、データ伝送最適化命令に基づいて、以下の方法でデータ伝送最適化処理動作を実行する：送信ユニット203を使用することにより、ターゲットセルが属するネットワーク装置にハンドオーバ要求を送信し、ターゲットセルが属するネットワーク装置に端末のビデオサービスコンテキスト情報を送信し、ターゲットセルが属するネットワーク装置にデータ伝送最適化の準備を事前に行うように要求し；ターゲットセルが属するネットワーク装置が端末によるアクセスが許可されていると判断したと判断した場合、および受信ユニット201が端末のハンドオーバ測定レポートを受信したと判断した場合、送信ユニット203を使用して、端末にハンドオーバコマンドを送信し、データ伝送最適化の準備は、事前にアクセス制御を実行することを含む。
【０１１１】
さらに別の可能な実装形態では、データ伝送最適化処理動作は、端末のカバレッジ強化最適化機能を有効にすることをさらに含み、カバレッジ強化最適化機能は、協調マルチポイント伝送技術または伝送時間間隔バンドリング技術の少なくとも一方を含む。
【０１１２】
さらに別の可能な実施形態では、データ伝送最適化命令は、最適化が実行される時間間隔をさらに含み、処理ユニット202は、データ伝送最適化命令に基づいて、最適化が実行される時間間隔でデータ伝送最適化処理動作を実行する方法でデータ伝送最適化処理動作を実行する。
【０１１３】
ハードウェア形式が実装に使用される場合、本出願のこの実施形態では、受信ユニット201は通信インタフェース、受信機、トランシーバなどであってもよく、処理ユニット202はプロセッサまたはコントローラであってもよく、送信ユニット203は、通信インタフェース、送信機、トランシーバなどであってもよい。通信インタフェースは集合的な名称であり、1つまたは複数のインタフェースを含んでもよい。
【０１１４】
処理ユニット202がプロセッサであり、受信ユニット201および送信ユニット203がトランシーバである場合、本出願のこの実施形態におけるネットワーク装置200は、図7に示されるネットワーク装置であり得る。図7は、本出願の一実施形態によるネットワーク装置2000の概略構成図、すなわち、本出願の実施形態における別の可能なネットワーク装置の概略構成図である。図7を参照すると、ネットワーク装置2000は、トランシーバ2001、メモリ2002、およびプロセッサ2003を含む。メモリ2002は、命令を格納するように構成され、プロセッサ2003は、プロセッサ2003の以下の機能を実行するためにメモリ2002に格納された命令を呼び出して、以下の機能を実行するためにトランシーバ2001を制御するように構成される：
トランシーバ2001は、端末によって送信されたデータ伝送最適化命令を受信するように構成され、データ伝送最適化命令は、トラックコンテキストに含まれるトラックルートに沿って移動し、トラックルート上の最適化対象のルートセグメントに到達すると判断すると端末によって送信され、ネットワーク装置にデータ伝送最適化処理動作を実行するよう指示するために使用され、データ伝送最適化処理動作は、端末のリソース割り当てポリシーを調整することを含み、トラックコンテキストは端末によって事前に生成され、端末がそれに沿って移動しかつ履歴時間内に端末が通過するトラックルートと、トラックルート上の最適化対象のルートセグメントを含み、事前定義された測定パラメータの値は、端末が最適化対象のルートセグメントで移動するときにプリセット閾値範囲を満たし、測定パラメータは、信号品質、アップリンクスループットレート、またはダウンリンクスループットレートの少なくとも1つを含む；
プロセッサ2003は、トランシーバ2001によって受信されたデータ伝送最適化命令に基づいてデータ伝送最適化処理動作を実行するように構成される。
【０１１５】
可能な実装形態では、トランシーバ2001は：
端末によって送信されたデータ伝送最適化命令を受信する前に、データ伝送最適化命令パラメータを端末に送信し、データ伝送最適化命令パラメータは、報告指示パラメータまたは構成パラメータの少なくとも一方を含む、
ようにさらに構成される。報告指示パラメータは、端末がセル内でデータ伝送最適化命令を送信できることを示すために使用されるパラメータを含む。構成パラメータは、端末にデータ伝送最適化命令を構成するように指示するために使用されるパラメータを含む。
【０１１６】
端末にデータ伝送最適化命令を構成するように指示するために使用されるパラメータは以下のパラメータの少なくとも1つを含む：
最適化対象のルートセグメントを決定するために端末が必要とする事前定義された測定パラメータと閾値範囲；
端末がデータ伝送最適化命令を送信する時間または位置であって、端末がデータ伝送最適化命令を送信する時間または位置は、最適化対象のルートセグメントの開始位置と関連関係を有する；
端末がデータ伝送最適化命令を送信する送信方法であって、端末がデータ伝送最適化命令を送信する送信方法は：端末によって、トラックルートに含まれる各最適化対象のルートセグメントのためのデータ伝送最適化命令を別々に送信すること、または最適化対象のルートセグメントを含むトラックルートに沿って移動すると判断した場合、もしくは移動のためにトラックルート上で最初の最適化対象のルートセグメントに入ると判断した場合、端末によって、トラックルートに含まれるすべての最適化対象のルートセグメントに必要なデータ伝送最適化命令、およびデータ伝送最適化命令を送信する時間と各最適化対象のルートセグメントに入る時間との時間間隔を送信することを含む。
【０１１７】
別の可能な実装形態では、端末が最適化対象のルートセグメントでセルハンドオーバを実行する場合、トラックコンテキストは、端末がハンドオーバされるターゲットセルの識別情報をさらに含む。
【０１１８】
さらに別の可能な実装形態では、データ伝送最適化命令は、端末がビデオサービスを実行することを示すビデオサービス指示を含み、プロセッサ2003は、データ伝送最適化命令に基づいて、端末のリソース割り当てを増やすこと、およびリソース制限のために端末のリソース割り当てを増やすことができない場合、ビデオサービスのビットレートを下げるように指示するために使用される指示情報を端末に送信することにより、データ伝送最適化処理動作を実行する。
【０１１９】
さらに別の可能な実装形態では、データ伝送最適化命令は、ビデオサービスコンテキスト情報をさらに含み、ビデオサービスコンテキスト情報は、ビデオサービスのキャッシュ情報およびビットレート情報を含む。プロセッサ2003は、端末のリソース割り当てを増やす前に、キャッシュ情報およびビットレート情報に基づいて、プリセット期間内に既存のリソースを使用して端末によって伝送されるデータの量がビデオサービスの伝送に必要なデータ量よりも少ないと判断するようにさらに構成される。
【０１２０】
さらに別の可能な実装形態では、データ伝送最適化命令は、ハンドオーバ指示情報をさらに含み、ハンドオーバ指示情報は、端末がハンドオーバされるターゲットセルの識別情報を含み、プロセッサ2003は、データ伝送最適化命令に基づいてデータ伝送最適化処理動作を実行する前に、識別情報に対応するターゲットセルの負荷情報を取得し、ターゲットセルの負荷がプリセット閾値より大きいと判断するようにさらに構成される。
【０１２１】
さらに別の可能な実装形態では、プロセッサ2003は、データ伝送最適化命令に基づいて、以下の方法でデータ伝送最適化処理動作を実行する：トランシーバ2001を使用することにより、ターゲットセルが属するネットワーク装置にハンドオーバ要求を送信し、ターゲットセルが属するネットワーク装置に端末のビデオサービスコンテキスト情報を送信し、ターゲットセルが属するネットワーク装置にデータ伝送最適化の準備を事前に行うように要求し；ターゲットセルが属するネットワーク装置が端末によるアクセスが許可されていると判断したと判断した場合、およびトランシーバ2001が端末のハンドオーバ測定レポートを受信したと判断した場合、トランシーバ2001を使用して、端末にハンドオーバコマンドを送信し、データ伝送最適化の準備は、事前にアクセス制御を実行することを含む。
【０１２２】
さらに別の可能な実装形態では、データ伝送最適化処理動作は、端末のカバレッジ強化最適化機能を有効にすることをさらに含み、カバレッジ強化最適化機能は、協調マルチポイント伝送技術または伝送時間間隔バンドリング技術の少なくとも一方を含む。
【０１２３】
さらに別の可能な実施形態では、データ伝送最適化命令は、最適化が実行される時間間隔をさらに含み、プロセッサ2003は、データ伝送最適化命令に基づいて、最適化が実行される時間間隔でデータ伝送最適化処理動作を実行する方法でデータ伝送最適化処理動作を実行する。
【０１２４】
本出願の実施形態では、本出願の実施形態で提供される技術的解決策に関連する端末およびネットワーク装置の概念、説明、詳細な記述、および他のステップについては、前述の方法または他の実施形態におけるそのようなコンテンツに関する説明を参照されたい。詳細はここでは再度説明しない。
【０１２５】
本出願の実施形態の添付図面では、ネットワーク装置および端末の単純化された設計のみが示されていることが理解され得る。実際の用途においては、ネットワーク装置および端末は上記の構造に限定されない。例えば、端末は、ディスプレイ装置、入出力インタフェースなどをさらに含んでもよく、本出願の実施形態を実装できるすべての端末は、本出願の実施形態の保護範囲内にある。ネットワーク装置は、任意の数の送信機、受信機、プロセッサ、コントローラ、メモリ、通信ユニットなどをさらに含んでもよく、この用途の実施形態を実装できるすべてのネットワーク装置は、このアプリケーションの実施形態の保護範囲内にある。
【０１２６】
本出願の実施形態における前述のプロセッサは、中央処理ユニット（Central Processing Unit，CPU）、汎用プロセッサ、デジタル信号プロセッサ（Digital Signal Processor，DSP）、特定用途向け集積回路（Application−Specific Integrated Circuit，ASIC）、フィールドプログラマブルゲートアレイ（Field Programmable Gate Array，FPGA）、または別のプログラマブル論理デバイス、トランジスタ論理デバイス、ハードウェアコンポーネント、またはそれらの任意の組み合わせであってもよいことに留意されたい。プロセッサは、本出願において開示された内容を参照して説明されたさまざまな例示的な論理ブロック、モジュール、および回路を実装または実行することができる。あるいは、プロセッサは、計算機能を実装するプロセッサの組み合わせ、例えば、1つまたは複数のマイクロプロセッサの組み合わせ、またはDSPとマイクロプロセッサの組み合わせなどであってもよい。
【０１２７】
メモリは、プロセッサに統合されていても、プロセッサから分離されていてもよい。
【０１２８】
実装形態において、受信機および送信機の機能は、トランシーバ回路または専用トランシーバチップを使用して実装され得ると考えられる。プロセッサは、専用の処理チップ、処理回路、プロセッサ、または汎用チップを使用して実装され得ると考えられる。
【０１２９】
別の実装形態では、プロセッサ、受信機、および送信機の機能を実装するために使用されるプログラムコードがメモリに格納される。汎用プロセッサは、メモリ内のコードを実行することにより、プロセッサ、受信機、および送信機の機能を実装する。
【０１３０】
本出願の実施形態で提供される方法によれば、本出願の実施形態は、前述のネットワーク装置と1つまたは複数の端末とを含む通信システムをさらに提供する。
【０１３１】
本出願の実施形態は、いくつかの命令を格納するように構成されたコンピュータ記憶媒体をさらに提供する。命令が実行されると、前述のデータ伝送最適化方法が実行され得る。
【０１３２】
当業者は、本出願の実施形態が方法、システム、またはコンピュータプログラム製品として提供され得ることを理解すべきである。したがって、本出願の実施形態は、ハードウェアのみの実施形態、ソフトウェアのみの実施形態、またはソフトウェアとハードウェアの組み合わせを有する実施形態の形態を使用することができる。さらに、本出願の実施形態は、コンピュータで使用可能なプログラムコードを含む1つまたは複数のコンピュータ使用可能な記憶媒体（磁気ディスクメモリ、CD−ROM、光学メモリなどを含むがこれらに限定されない）に実装されるコンピュータプログラム製品の形態を使用することができる。
【０１３３】
本出願の実施形態は、本出願の実施形態による方法、装置（システム）、およびコンピュータプログラム製品のフローチャートおよび／またはブロック図を参照して説明される。コンピュータプログラム命令を使用して、フローチャートおよび／またはブロック図の各プロセスおよび／または各ブロック、ならびにフローチャートおよび／またはブロック図のプロセスおよび／またはブロックの組み合わせを実施できることを理解されたい。これらのコンピュータプログラム命令は、汎用コンピュータ、専用コンピュータ、組み込みプロセッサ、または任意の他のプログラム可能なデータ処理装置のプロセッサに提供されて機械を生成することができ、その結果、コンピュータまたは他のプログラム可能なデータ処理装置のプロセッサによって実行される命令は、フローチャートの1つまたは複数のプロセスおよび／またはブロック図の1つまたは複数のブロックで特定の機能を実装する装置を生成する。
【０１３４】
これらのコンピュータプログラム命令を、コンピュータまたは他の任意のプログラム可能なデータ処理装置に特定の方法で動作するように命令することができるコンピュータ可読メモリに格納することができ、その結果、コンピュータ可読メモリに格納された命令は命令装置を含むアーチファクトを生成する。命令装置は、フローチャートの1つまたは複数のプロセスおよび／またはブロック図の1つまたは複数のブロックで特定の機能を実施する。
【０１３５】
これらのコンピュータプログラム命令は、コンピュータまたは別のプログラム可能なデータ処理装置にロードされ得、その結果、一連の動作およびステップがコンピュータまたは別のプログラム可能な装置上で実行され、それによってコンピュータ実装処理が生成される。したがって、コンピュータまたは別のプログラム可能な装置で実行される命令は、フローチャートの1つまたは複数のプロセスおよび／またはブロック図の1つまたは複数のブロックで特定の機能を実装するためのステップを提供する。
【符号の説明】
【０１３６】
100  端末
101  処理ユニット
102  送信ユニット
103  受信ユニット
200  ネットワーク装置
201  受信ユニット
202  処理ユニット
203  送信ユニット
1000  端末
1001  プロセッサ
1002  メモリ
1003  送信機
1004  受信機
2000  ネットワーク装置
2001  トランシーバ
2002  メモリ
2003  プロセッサ
【図１】
2020510347.tif 000006
【図２】
2020510347.tif 000007
【図３】
2020510347.tif 000008
【図４】
2020510347.tif 000009
【図５】
2020510347.tif 000010
【図６】
2020510347.tif 000011
【図７】
2020510347.tif 000012
【手続補正書】
【提出日】令和1年10月23日(2019.10.23)
【手続補正１】
【補正対象書類名】明細書
【補正対象項目名】００９４
【補正方法】変更
【補正の内容】
【００９４】
さらに別の可能な実装形態では、データ伝送最適化命令はビデオサービスコンテキスト情報をさらに含み、ビデオサービスコンテキスト情報はビデオサービスのキャッシュ情報とビットレート情報を含み、データ伝送最適化命令は、端末のリソース割り当てを増やす前にキャッシュ情報とビットレート情報に基づいて、プリセット期間内に既存のリソースを使用して端末によって伝送されるデータの量がビデオサービスの伝送に必要なデータ量よりも少ないと判断するようにネットワーク装置に指示するためにさらに使用される。
【手続補正２】
【補正対象書類名】特許請求の範囲
【補正対象項目名】全文
【補正方法】変更
【補正の内容】
【特許請求の範囲】
【請求項１】
端末によって、トラックコンテキストに含まれるトラックルートに沿って移動し、前記トラックルート上の最適化対象のルートセグメントに到達すると判断するステップであって、前記トラックコンテキストは、前記端末によって事前に生成され、前記端末がそれに沿って移動しかつ履歴時間内に前記端末が通過するトラックルートと、前記トラックルート上の最適化対象のルートセグメントとを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、ステップと、
前記端末によって、データ伝送最適化命令をネットワーク装置に送信するステップであって、前記データ伝送最適化命令は、前記ネットワーク装置にデータ伝送最適化処理動作を実行するよう指示するために使用され、前記データ伝送最適化処理動作は、前記端末のリソース割り当てポリシーを調整することを含む、ステップと
を含む、データ伝送最適化方法。
【請求項２】
前記端末によって、データ伝送最適化命令をネットワーク装置に送信する前記ステップの前に、前記方法が、
前記端末によって、前記ネットワーク装置が送信したデータ伝送最適化命令パラメータを受信するステップであって、前記データ伝送最適化命令パラメータは、報告指示パラメータまたは構成パラメータの少なくとも一方を含む、ステップ
をさらに含み、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項1に記載の方法。
【請求項３】
前記トラックコンテキストは、前記端末がハンドオーバされるターゲットセルの識別情報をさらに含み、前記方法は、
前記端末が前記最適化対象のルートセグメントでセルハンドオーバを実行する場合、前記ターゲットセルの前記識別情報に基づいて前記セルハンドオーバを実行するステップ
をさらに含む、請求項1または2に記載の方法。
【請求項４】
前記データ伝送最適化命令は、前記端末がビデオサービスを実行することを示すビデオサービス指示を含み、
前記データ伝送最適化処理動作は、前記端末のリソース割り当てを増やすこと、およびリソース制限のために前記端末の前記リソース割り当てを増やすことができない場合、前記ビデオサービスのビットレートを下げるように指示するために使用される指示情報を前記端末に送信することを含む、
請求項1から3のいずれか一項に記載の方法。
【請求項５】
前記データ伝送最適化命令がビデオサービスコンテキスト情報をさらに含み、前記ビデオサービスコンテキスト情報は前記ビデオサービスのキャッシュ情報とビットレート情報を含み、
前記データ伝送最適化命令は、前記端末の前記リソース割り当てを増やす前に前記キャッシュ情報と前記ビットレート情報に基づいて、プリセット期間内に既存のリソースを使用して前記端末によって伝送されるデータの量が前記ビデオサービスの伝送に必要なデータ量よりも少ないと判断するように前記ネットワーク装置に指示するためにさらに使用される、
請求項4に記載の方法。
【請求項６】
前記データ伝送最適化命令が、ハンドオーバ指示情報をさらに含み、前記ハンドオーバ指示情報は、前記端末がハンドオーバされる前記ターゲットセルの前記識別情報を含み、
前記データ伝送最適化命令は、前記データ伝送最適化処理動作を実行する前に、前記識別情報に対応する前記ターゲットセルの負荷情報を取得し、前記ターゲットセルの負荷がプリセット閾値よりも大きいと判断するように前記ネットワーク装置に指示するためにさらに使用される、
請求項4または5に記載の方法。
【請求項７】
前記データ伝送最適化命令が、前記端末が現在位置しているサービングセルが属するネットワーク装置に、前記ターゲットセルが属するネットワーク装置にハンドオーバ要求を送信するように指示し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し；前記ターゲットセルが属する前記ネットワーク装置が前記端末によるアクセスが許可されていると判断したと判断した場合、および前記端末のハンドオーバ測定レポートが受信されたと判断した場合、前記サービングセルが属する前記ネットワーク装置に、ハンドオーバコマンドを前記端末に送信するよう指示するためにさらに使用され、
前記データ伝送最適化の準備は、事前にアクセス制御を実行することを含む、
請求項6に記載の方法。
【請求項８】
前記データ伝送最適化処理動作が、前記端末のカバレッジ強化最適化機能を有効にすることを含み、前記カバレッジ強化最適化機能は、協調マルチポイント伝送技術または伝送時間間隔バンドリング技術の少なくとも一方を含む、請求項1から3のいずれか一項に記載の方法。
【請求項９】
前記データ伝送最適化命令が、最適化が実行される時間間隔をさらに含み、最適化が実行される前記時間間隔で前記データ伝送最適化処理動作を実行するように前記ネットワーク装置に指示するために使用される、請求項4から8のいずれか一項に記載の方法。
【請求項１０】
データ伝送最適化方法が、
ネットワーク装置によって、端末が送信したデータ伝送最適化命令を受信するステップであって、前記データ伝送最適化命令は、トラックコンテキストに含まれるトラックルートに沿って移動し、前記トラックルート上の最適化対象のルートセグメントに到達すると判断すると前記端末によって送信され、前記ネットワーク装置にデータ伝送最適化処理動作を実行するよう指示するために使用され、前記データ伝送最適化処理動作は、前記端末のリソース割り当てポリシーを調整することを含み、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、ステップと、
前記ネットワーク装置によって、前記データ伝送最適化命令に基づいて前記データ伝送最適化処理動作を実行するステップと
を含む、方法。
【請求項１１】
ネットワーク装置によって、端末が送信したデータ伝送最適化命令を受信する前記ステップの前に、前記方法が、
前記ネットワーク装置によって、データ伝送最適化命令パラメータを前記端末に送信することであって、前記データ伝送最適化命令パラメータは、報告指示パラメータまたは構成パラメータの少なくとも一方を含む、ステップ
をさらに含み、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項10に記載の方法。
【請求項１２】
前記端末が前記最適化対象のルートセグメントでセルハンドオーバを実行する場合、前記トラックコンテキストは、前記端末がハンドオーバされるターゲットセルの識別情報をさらに含む、請求項10または11に記載の方法。
【請求項１３】
前記データ伝送最適化命令は、前記端末がビデオサービスを実行することを示すビデオサービス指示を含み、
前記ネットワーク装置によって、前記データ伝送最適化命令に基づいて前記データ伝送最適化処理動作を実行する前記ステップが、
前記ネットワーク装置によって、前記端末のリソース割り当てを増やすステップ、およびリソース制限のために前記端末の前記リソース割り当てを増やすことができない場合、前記ネットワーク装置によって、前記ビデオサービスのビットレートを下げるように指示するために使用される指示情報を前記端末に送信するステップ
を含む、請求項10から12のいずれか一項に記載の方法。
【請求項１４】
前記データ伝送最適化命令は、ビデオサービスコンテキスト情報をさらに含み、前記ビデオサービスコンテキスト情報は、前記ビデオサービスのキャッシュ情報およびビットレート情報を含み、
前記ネットワーク装置によって、前記端末のリソース割り当てを増やす前記ステップの前に、前記方法は、
前記キャッシュ情報および前記ビットレート情報に基づいて前記ネットワーク装置によって、プリセット期間内に既存のリソースを使用して前記端末によって伝送されるデータの量が、前記ビデオサービスの伝送に必要なデータ量よりも少ないと判断するステップ
をさらに含む、請求項13に記載の方法。
【請求項１５】
前記データ伝送最適化命令が、ハンドオーバ指示情報をさらに含み、前記ハンドオーバ指示情報は、前記端末がハンドオーバされる前記ターゲットセルの前記識別情報を含み、
前記ネットワーク装置によって、前記データ伝送最適化命令に基づいて前記データ伝送最適化処理動作を実行する前記ステップの前に、前記方法は、
前記ネットワーク装置によって、前記識別情報に対応する前記ターゲットセルの負荷情報を取得し、前記ターゲットセルの負荷がプリセット閾値よりも大きいと判断するステップ
をさらに含む、請求項13または14に記載の方法。
【請求項１６】
前記ネットワーク装置によって、前記データ伝送最適化命令に基づいて前記データ伝送最適化処理動作を実行する前記ステップが、
前記ネットワーク装置によって、前記ターゲットセルが属するネットワーク装置にハンドオーバ要求を送信し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求するステップと、
前記ターゲットセルが属する前記ネットワーク装置が前記端末によるアクセスが許可されていると判断したと判断した場合、および前記端末のハンドオーバ測定レポートを受信したと判断した場合、前記ネットワーク装置によって、前記端末にハンドオーバコマンドを送信するステップと、
を含み、
前記データ伝送最適化の準備は、事前にアクセス制御を実行することを含む、
請求項15に記載の方法。
【請求項１７】
前記データ伝送最適化処理動作が、前記端末のカバレッジ強化最適化機能を有効にすることをさらに含み、前記カバレッジ強化最適化機能は、協調マルチポイント伝送技術または伝送時間間隔バンドリング技術の少なくとも一方を含む、請求項10から12のいずれか一項に記載の方法。
【請求項１８】
前記データ伝送最適化命令は、最適化が実行される時間間隔をさらに含み、
前記ネットワーク装置によって、前記データ伝送最適化命令に基づいて前記データ伝送最適化処理動作を実行する前記ステップが、
前記ネットワーク装置によって、最適化が実行される前記時間間隔で前記データ伝送最適化処理動作を実行するステップ
を含む、
請求項13から17のいずれか一項に記載の方法。
【請求項１９】
端末がトラックコンテキストに含まれるトラックルートに沿って移動し、前記トラックルート上の最適化対象のルートセグメントに到達することを判断するように構成された処理ユニットであって、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、処理ユニットと、
前記処理ユニットが、前記端末が前記トラックコンテキストに含まれる前記トラックルートに沿って移動し、前記トラックルート上の前記最適化対象のルートセグメントに到達すると判断すると、前記データ伝送最適化命令をネットワーク装置に送信するように構成された送信ユニットであって、前記データ伝送最適化命令は、前記ネットワーク装置にデータ伝送最適化処理動作を実行するよう指示するために使用され、前記データ伝送最適化処理動作は、前記端末のリソース割り当てポリシーを調整することを含む、送信ユニットと
を備える、端末。
【請求項２０】
前記端末が受信ユニットをさらに備え、前記受信ユニットは、
前記送信ユニットが前記データ伝送最適化命令を前記ネットワーク装置に送信する前に、前記ネットワーク装置が送信したデータ伝送最適化命令パラメータを受信し、前記データ伝送最適化命令パラメータは、報告指示パラメータまたは構成パラメータの少なくとも一方を含む、
ように構成され、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項19に記載の端末。
【請求項２１】
前記トラックコンテキストは、前記端末がハンドオーバされるターゲットセルの識別情報をさらに含み、前記処理ユニットは、
前記端末が前記最適化対象のルートセグメントでセルハンドオーバを実行する場合、前記ターゲットセルの前記識別情報に基づいて前記セルハンドオーバを実行する
ようにさらに構成される、請求項19または20に記載の端末。
【請求項２２】
前記データ伝送最適化命令は、前記端末がビデオサービスを実行することを示すビデオサービス指示を含み、
前記データ伝送最適化処理動作は、前記端末のリソース割り当てを増やすこと、およびリソース制限のために前記端末の前記リソース割り当てを増やすことができない場合、前記ビデオサービスのビットレートを下げるように指示するために使用される指示情報を前記端末に送信することを含む、
請求項19から21のいずれか一項に記載の端末。
【請求項２３】
前記データ伝送最適化命令がビデオサービスコンテキスト情報をさらに含み、前記ビデオサービスコンテキスト情報は前記ビデオサービスのキャッシュ情報とビットレート情報を含み、
前記データ伝送最適化命令は、前記端末の前記リソース割り当てを増やす前に前記キャッシュ情報と前記ビットレート情報に基づいて、プリセット期間内に既存のリソースを使用して前記端末によって伝送されるデータの量が前記ビデオサービスの伝送に必要なデータ量よりも少ないと判断するように前記ネットワーク装置に指示するためにさらに使用される、
請求項22に記載の端末。
【請求項２４】
前記データ伝送最適化命令が、ハンドオーバ指示情報をさらに含み、前記ハンドオーバ指示情報は、前記端末がハンドオーバされる前記ターゲットセルの前記識別情報を含み、
前記データ伝送最適化命令は、前記データ伝送最適化処理動作を実行する前に、前記識別情報に対応する前記ターゲットセルの負荷情報を取得し、前記ターゲットセルの負荷がプリセット閾値よりも大きいと判断するように前記ネットワーク装置に指示するためにさらに使用される、
請求項22または23に記載の端末。
【請求項２５】
前記データ伝送最適化命令が、前記端末が現在位置しているサービングセルが属するネットワーク装置に、前記ターゲットセルが属するネットワーク装置にハンドオーバ要求を送信するように指示し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し；前記ターゲットセルが属する前記ネットワーク装置が前記端末によるアクセスが許可されていると判断したと判断した場合、および前記端末のハンドオーバ測定レポートが受信されたと判断した場合、前記サービングセルが属する前記ネットワーク装置に、ハンドオーバコマンドを前記端末に送信するよう指示するためにさらに使用され、
前記データ伝送最適化の準備は、事前にアクセス制御を実行することを含む、
請求項24に記載の端末。
【請求項２６】
前記データ伝送最適化処理動作が、前記端末のカバレッジ強化最適化機能を有効にすることを含み、前記カバレッジ強化最適化機能は、協調マルチポイント伝送技術または伝送時間間隔バンドリング技術の少なくとも一方を含む、請求項19から21のいずれか一項に記載の端末。
【請求項２７】
前記データ伝送最適化命令が、最適化が実行される時間間隔をさらに含み、最適化が実行される前記時間間隔で前記データ伝送最適化処理動作を実行するように前記ネットワーク装置に指示するために使用される、請求項22から26のいずれか一項に記載の端末。
【請求項２８】
端末が送信したデータ伝送最適化命令を受信するように構成された受信ユニットであって、前記データ伝送最適化命令は、トラックコンテキストに含まれるトラックルートに沿って移動し、前記トラックルート上の最適化対象のルートセグメントに到達すると判断すると前記端末によって送信され、前記ネットワーク装置にデータ伝送最適化処理動作を実行するよう指示するために使用され、前記データ伝送最適化処理動作は、前記端末のリソース割り当てポリシーを調整することを含み、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、受信ユニットと、
前記受信ユニットが受信した前記データ伝送最適化命令に基づいて前記データ伝送最適化処理動作を実行するように構成された処理ユニットと
を備える、ネットワーク装置。
【請求項２９】
前記ネットワーク装置が送信ユニットをさらに備え、前記送信ユニットは、
前記端末が送信した前記データ伝送最適化命令を前記受信ユニットが受信する前に、前記端末にデータ伝送最適化命令パラメータを送信し、前記データ伝送最適化命令パラメータは、報告指示パラメータまたは構成パラメータの少なくとも一方を含む、
ように構成され、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項28に記載のネットワーク装置。
【請求項３０】
前記端末が前記最適化対象のルートセグメントでセルハンドオーバを実行する場合、前記トラックコンテキストは、前記端末がハンドオーバされるターゲットセルの識別情報をさらに含む、請求項28または29に記載のネットワーク装置。
【請求項３１】
前記データ伝送最適化命令は、前記端末がビデオサービスを実行することを示すビデオサービス指示を含み、
前記処理ユニットは、前記データ伝送最適化命令に基づいて、以下の方法、すなわち、
前記端末のリソース割り当てを増やし、リソース制限のために前記端末の前記リソース割り当てを増やすことができない場合、前記ネットワーク装置によって、前記ビデオサービスのビットレートを下げるように指示するために使用される指示情報を前記端末に送信する
方法で、前記データ伝送最適化処理動作を実行する、
請求項28から30のいずれか一項に記載のネットワーク装置。
【請求項３２】
前記データ伝送最適化命令がビデオサービスコンテキスト情報をさらに含み、前記ビデオサービスコンテキスト情報は前記ビデオサービスのキャッシュ情報とビットレート情報を含み、
前記処理ユニットは、
前記端末の前記リソース割り当てを増やす前に、前記キャッシュ情報および前記ビットレート情報に基づいて、プリセット期間内に既存のリソースを使用して前記端末によって伝送されるデータの量が前記ビデオサービスの伝送に必要なデータ量よりも少ないと判断する
ようにさらに構成される、
請求項31に記載のネットワーク装置。
【請求項３３】
前記データ伝送最適化命令がハンドオーバ指示情報をさらに含み、前記ハンドオーバ指示情報は、前記端末がハンドオーバされる前記ターゲットセルの前記識別情報を含み、
前記処理ユニットは、
前記データ伝送最適化命令に基づいて前記データ伝送最適化処理動作を実行する前に、前記識別情報に対応する前記ターゲットセルの負荷情報を取得し、前記ターゲットセルの負荷がプリセット閾値よりも大きいと判断する
ようにさらに構成される、
請求項31または32に記載のネットワーク装置。
【請求項３４】
前記ネットワーク装置が送信ユニットをさらに備え、
前記処理ユニットは、前記データ伝送最適化命令に基づいて、以下の方法、すなわち、
前記送信ユニットを使用して、前記ターゲットセルが属するネットワーク装置にハンドオーバ要求を送信し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し、
前記ターゲットセルが属する前記ネットワーク装置が前記端末によるアクセスが許可されていると判断したと判断した場合、および前記受信ユニットが前記端末のハンドオーバ測定レポートを受信したと判断した場合、前記送信ユニットを使用して、前記端末にハンドオーバコマンドを送信する
方法で、前記データ伝送最適化処理動作を実行し、
前記データ伝送最適化の準備は、事前にアクセス制御を実行することを含む、
請求項33に記載のネットワーク装置。
【請求項３５】
前記データ伝送最適化処理動作が、前記端末のカバレッジ強化最適化機能を有効にすることをさらに含み、前記カバレッジ強化最適化機能は、協調マルチポイント伝送技術または伝送時間間隔バンドリング技術の少なくとも一方を含む、請求項28から30のいずれか一項に記載のネットワーク装置。
【請求項３６】
前記データ伝送最適化命令は、最適化が実行される時間間隔をさらに含み、
前記処理ユニットは、前記データ伝送最適化命令に基づいて、以下の方法、すなわち、
最適化が実行される前記時間間隔で前記データ伝送最適化処理動作を実行する
方法で、前記データ伝送最適化処理動作を実行する、
請求項31から35のいずれか一項に記載のネットワーク装置。
【請求項３７】
プロセッサ、メモリ、および送信機を備えた端末であって、前記メモリは命令を格納するように構成され、前記プロセッサは、前記メモリに格納された前記命令を呼び出して、前記プロセッサの以下の機能を実行し、前記送信機を制御して以下の機能を実行するように構成される、すなわち、
前記プロセッサは、前記端末がトラックコンテキストに含まれるトラックルートに沿って移動し、前記トラックルート上の最適化対象のルートセグメントに到達することを判断するように構成され、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含む、
前記送信機は、前記端末が前記トラックコンテキストに含まれる前記トラックルートに沿って移動し、前記トラックルート上の前記最適化対象のルートセグメントに到達することを前記プロセッサが判断すると、ネットワーク装置にデータ伝送最適化命令を送信するように構成され、前記データ伝送最適化命令は、前記ネットワーク装置にデータ伝送最適化処理動作を実行するよう指示するために使用され、前記データ伝送最適化処理動作は、前記端末のリソース割り当てポリシーを調整することを含む、
端末。
【請求項３８】
前記端末が受信機をさらに備え、前記プロセッサが前記受信機を制御して、以下の機能、すなわち、
前記送信機が前記データ伝送最適化命令を前記ネットワーク装置に送信する前に、前記ネットワーク装置が送信したデータ伝送最適化命令パラメータを受信する機能であって、前記データ伝送最適化命令パラメータは、報告指示パラメータまたは構成パラメータの少なくとも一方を含む、機能
を実行するようにさらに構成され、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項37に記載の端末。
【請求項３９】
前記トラックコンテキストは、前記端末がハンドオーバされるターゲットセルの識別情報をさらに含み、前記プロセッサは、
前記端末が前記最適化対象のルートセグメントでセルハンドオーバを実行する場合、前記ターゲットセルの前記識別情報に基づいて前記セルハンドオーバを実行する
ようにさらに構成される、請求項37または38に記載の端末。
【請求項４０】
前記データ伝送最適化命令は、前記端末がビデオサービスを実行することを示すビデオサービス指示を含み、
前記データ伝送最適化処理動作は、前記端末のリソース割り当てを増やすこと、およびリソース制限のために前記端末の前記リソース割り当てを増やすことができない場合、前記ビデオサービスのビットレートを下げるように指示するために使用される指示情報を前記端末に送信することを含む、
請求項37から39のいずれか一項に記載の端末。
【請求項４１】
前記データ伝送最適化命令がビデオサービスコンテキスト情報をさらに含み、前記ビデオサービスコンテキスト情報は前記ビデオサービスのキャッシュ情報とビットレート情報を含み、
前記データ伝送最適化命令は、前記端末の前記リソース割り当てを増やす前に前記キャッシュ情報と前記ビットレート情報に基づいて、プリセット期間内に既存のリソースを使用して前記端末によって伝送されるデータの量が前記ビデオサービスの伝送に必要なデータ量よりも少ないと判断するように前記ネットワーク装置に指示するためにさらに使用される、
請求項40に記載の端末。
【請求項４２】
前記データ伝送最適化命令が、ハンドオーバ指示情報をさらに含み、前記ハンドオーバ指示情報は、前記端末がハンドオーバされる前記ターゲットセルの前記識別情報を含み、
前記データ伝送最適化命令は、前記データ伝送最適化処理動作を実行する前に、前記識別情報に対応する前記ターゲットセルの負荷情報を取得し、前記ターゲットセルの負荷がプリセット閾値よりも大きいと判断するように前記ネットワーク装置に指示するためにさらに使用される、
請求項40または41に記載の端末。
【請求項４３】
前記データ伝送最適化命令が、前記端末が現在位置しているサービングセルが属するネットワーク装置に、前記ターゲットセルが属するネットワーク装置にハンドオーバ要求を送信するように指示し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し；前記ターゲットセルが属する前記ネットワーク装置が前記端末によるアクセスが許可されていると判断したと判断した場合、および前記端末のハンドオーバ測定レポートが受信されたと判断した場合、前記サービングセルが属する前記ネットワーク装置に、ハンドオーバコマンドを前記端末に送信するよう指示するためにさらに使用され、
前記データ伝送最適化の準備は、事前にアクセス制御を実行することを含む、
請求項42に記載の端末。
【請求項４４】
前記データ伝送最適化処理動作が、前記端末のカバレッジ強化最適化機能を有効にすることを含み、前記カバレッジ強化最適化機能は、協調マルチポイント伝送技術または伝送時間間隔バンドリング技術の少なくとも一方を含む、請求項37から39のいずれか一項に記載の端末。
【請求項４５】
前記データ伝送最適化命令が、最適化が実行される時間間隔をさらに含み、最適化が実行される前記時間間隔で前記データ伝送最適化処理動作を実行するように前記ネットワーク装置に指示するために使用される、請求項40から44のいずれか一項に記載の端末。
【請求項４６】
トランシーバ、メモリ、およびプロセッサを備えたネットワーク装置であって、前記メモリは、命令を格納するように構成され、前記プロセッサは、前記プロセッサの以下の機能を実行するために前記メモリに格納された前記命令を呼び出して、以下の機能を実行するために前記トランシーバを制御するように構成される、すなわち、
前記トランシーバは、端末によって送信されたデータ伝送最適化命令を受信するように構成され、前記データ伝送最適化命令は、トラックコンテキストに含まれるトラックルートに沿って移動し、前記トラックルート上の最適化対象のルートセグメントに到達すると判断すると前記端末によって送信され、前記ネットワーク装置にデータ伝送最適化処理動作を実行するよう指示するために使用され、前記データ伝送最適化処理動作は、前記端末のリソース割り当てポリシーを調整することを含み、前記トラックコンテキストは前記端末によって事前に生成され、前記端末がそれに沿って移動しかつ履歴時間内に前記端末が通過するトラックルートと、前記トラックルート上の最適化対象のルートセグメントを含み、事前定義された測定パラメータの値は、前記端末が前記最適化対象のルートセグメントで移動するときにプリセット閾値範囲を満たし、前記測定パラメータは、信号品質、アップリンクスループットレート、またはダウンリンクスループットレートの少なくとも1つを含み、
前記プロセッサは、前記トランシーバによって受信された前記データ伝送最適化命令に基づいて前記データ伝送最適化処理動作を実行するように構成される、
ネットワーク装置。
【請求項４７】
前記トランシーバが、以下の機能、すなわち、
前記端末が送信した前記データ伝送最適化命令を受信する前に、データ伝送最適化命令パラメータを前記端末に送信する機能であって、前記データ伝送最適化命令パラメータは、報告指示パラメータまたは構成パラメータの少なくとも一方を含む、機能
を実行し、
前記報告指示パラメータは、前記端末がセル内で前記データ伝送最適化命令を送信できることを示すために使用されるパラメータを含み、
前記構成パラメータは、前記データ伝送最適化命令を構成するように前記端末に指示するために使用されるパラメータを含み、
前記データ伝送最適化命令を構成するように前記端末に指示するために使用される前記パラメータは、以下のパラメータ、すなわち、
前記最適化対象のルートセグメントを決定するために前記端末が必要とする前記事前定義された測定パラメータと前記閾値範囲、
前記端末が前記データ伝送最適化命令を送信する時間または位置であって、前記端末が前記データ伝送最適化命令を送信する前記時間または前記位置が、前記最適化対象のルートセグメントの開始位置と関連関係を有する、時間または位置、
前記端末が前記データ伝送最適化命令を送信する送信方法であって、前記端末が前記データ伝送最適化命令を送信する前記送信方法は、前記端末によって、前記トラックルートに含まれる各最適化対象のルートセグメントのための前記データ伝送最適化命令を別々に送信すること、または最適化対象のルートセグメントを含むトラックルートに沿って移動すると判断した場合、もしくは移動のために前記トラックルート上で最初の最適化対象のルートセグメントに入ると判断した場合、前記端末によって、前記トラックルートに含まれるすべての最適化対象のルートセグメントに必要なデータ伝送最適化命令、および前記データ伝送最適化命令を送信する時間と各最適化対象のルートセグメントに入る時間との時間間隔を送信することを含む、送信方法
の少なくとも1つを含む、
請求項46に記載のネットワーク装置。
【請求項４８】
前記端末が前記最適化対象のルートセグメントでセルハンドオーバを実行する場合、前記トラックコンテキストは、前記端末がハンドオーバされるターゲットセルの識別情報をさらに含む、請求項46または47に記載のネットワーク装置。
【請求項４９】
前記データ伝送最適化命令は、前記端末がビデオサービスを実行することを示すビデオサービス指示を含み、
前記プロセッサは、前記データ伝送最適化命令に基づいて、以下の方法、すなわち、
前記端末のリソース割り当てを増やし、リソース制限のために前記端末の前記リソース割り当てを増やすことができない場合、前記ネットワーク装置によって、前記ビデオサービスのビットレートを下げるように指示するために使用される指示情報を前記端末に送信する
方法で、前記データ伝送最適化処理動作を実行する、
請求項46から48のいずれか一項に記載のネットワーク装置。
【請求項５０】
前記データ伝送最適化命令がビデオサービスコンテキスト情報をさらに含み、前記ビデオサービスコンテキスト情報は前記ビデオサービスのキャッシュ情報とビットレート情報を含み、
前記プロセッサは、
前記端末の前記リソース割り当てを増やす前に、前記キャッシュ情報および前記ビットレート情報に基づいて、プリセット期間内に既存のリソースを使用して前記端末によって伝送されるデータの量が前記ビデオサービスの伝送に必要なデータ量よりも少ないと判断する
ようにさらに構成される、
請求項49に記載のネットワーク装置。
【請求項５１】
前記データ伝送最適化命令がハンドオーバ指示情報をさらに含み、前記ハンドオーバ指示情報は、前記端末がハンドオーバされる前記ターゲットセルの前記識別情報を含み、
前記プロセッサは、
前記データ伝送最適化命令に基づいて前記データ伝送最適化処理動作を実行する前に、前記識別情報に対応する前記ターゲットセルの負荷情報を取得し、前記ターゲットセルの負荷がプリセット閾値よりも大きいと判断する
ようにさらに構成される、
請求項49または50に記載のネットワーク装置。
【請求項５２】
前記プロセッサが、前記データ伝送最適化命令に基づいて、以下の方法、すなわち、
前記トランシーバを使用して、前記ターゲットセルが属するネットワーク装置にハンドオーバ要求を送信し、前記ターゲットセルが属する前記ネットワーク装置に前記端末の前記ビデオサービスコンテキスト情報を送信し、前記ターゲットセルが属する前記ネットワーク装置にデータ伝送最適化の準備を事前に行うように要求し、
前記ターゲットセルが属する前記ネットワーク装置が前記端末によるアクセスが許可されていると判断したと判断した場合、および前記トランシーバが前記端末のハンドオーバ測定レポートを受信したと判断した場合、前記トランシーバを使用して、前記端末にハンドオーバコマンドを送信する
方法で、前記データ伝送最適化処理動作を実行し、
前記データ伝送最適化の準備は、事前にアクセス制御を実行することを含む、
請求項51に記載のネットワーク装置。
【請求項５３】
前記データ伝送最適化処理動作が、前記端末のカバレッジ強化最適化機能を有効にすることをさらに含み、前記カバレッジ強化最適化機能は、協調マルチポイント伝送技術または伝送時間間隔バンドリング技術の少なくとも一方を含む、請求項46から48のいずれか一項に記載のネットワーク装置。
【請求項５４】
前記データ伝送最適化命令は、最適化が実行される時間間隔をさらに含み、
前記プロセッサは、前記データ伝送最適化命令に基づいて、以下の方法、すなわち、
最適化が実行される前記時間間隔で前記データ伝送最適化処理動作を実行する
方法で、前記データ伝送最適化処理動作を実行する、
請求項49から53のいずれか一項に記載のネットワーク装置。
【請求項５５】
プロセッサによって実行されたときに、請求項1から9のいずれか一項に記載の方法が行われる、プログラムを記憶するように構成された、コンピュータ可読記憶媒体。
【請求項５６】
プロセッサによって実行されたときに、請求項10から18のいずれか一項に記載の方法が行われる、プログラムを記憶するように構成された、コンピュータ可読記憶媒体。
【請求項５７】
プログラムであって、プロセッサによって実行されたときに、前記プログラムが請求項1から9のいずれか一項に記載の方法を行うために用いられる、プログラム。
【請求項５８】
プログラムであって、プロセッサによって実行されたときに、前記プログラムが請求項10から18のいずれか一項に記載の方法を行うために用いられる、プログラム。
【国際調査報告】
2020510347.tif 000013
2020510347.tif 000014
2020510347.tif 000015
2020510347.tif 000016
2020510347.tif 000017